(57)【要約】【課題】部品数、工程数、及び工程管理ポイントの縮小によって原価が低減されたレンズ駆動ユニットを提供する。【解決手段】本実施例のレンズ駆動ユニットは、ベース；前記ベースに対して移動可能に支持されるハウジング；前記ハウジングに位置するマグネット；前記マグネットと対向するパターンコイルを含み、前記ベースに位置するパターンコイル部；及び前記パターンコイル部に実装され、前記ハウジングの位置又は移動を感知するセンサ部を含み、前記パターンコイル部は、下側に前記センサ部が実装される第１層、及び前記第１層の上側に積層され、前記パターンコイルが形成される第２層を含む。【選択図】図２
2017062470.tif 000002
【特許請求の範囲】
【請求項１】
ベースと、
前記ベースに対して移動可能に支持されるハウジングと、
前記ハウジングに位置するマグネットと、
前記マグネットと対向するパターンコイルを含み、前記ベースに位置するパターンコイル部と、
前記パターンコイル部に実装され、前記ハウジングの位置又は移動を感知するセンサ部とを含み、
前記パターンコイル部は、下側に前記センサ部が実装される第１層、及び前記第１層の上側に積層され、前記パターンコイルが形成される第２層を含む、レンズ駆動ユニット。
【請求項２】
前記パターンコイル部は、前記パターンコイルが形成されたボディー部、及び前記ボディー部から下側に折り曲げられて延びる端子部を含む、請求項１に記載のレンズ駆動ユニット。
【請求項３】
前記センサ部は、前記パターンコイルと光軸方向に重ならないように位置する、請求項１又は２に記載のレンズ駆動ユニット。
【請求項４】
前記ボディー部は、中心に形成される貫通孔を含み、
前記パターンコイルは、前記貫通孔の外側に位置する第１〜第４コイル体を含み、
前記第１コイル体と前記第３コイル体は対向し、前記第２コイル体と前記第４コイル体は対向し、
前記第１コイル体と第２コイル体の形状は対応し、前記第３コイル体と前記第４コイル体の形状は対応し、
前記第１コイル体と前記第３コイル体の形状は対応しない、請求項３に記載のレンズ駆動ユニット。
【請求項５】
前記センサ部は、前記パターンコイルと光軸方向に重なるように位置し、
前記パターンコイル部は、前記第１層と前記第２層との間に位置する第３層をさらに含む、請求項１乃至４のいずれかに記載のレンズ駆動ユニット。
【請求項６】
前記ベースまたは前記ボディー部は、前記ハウジングが水平方向に移動するか、またはチルト（ｔｉｌｔ）されるように下側で支持する、請求項２乃至５のいずれかに記載のレンズ駆動ユニット。
【請求項７】
一端で前記ハウジングと結合される側方支持部材をさらに含み、
前記側方支持部材の他端は前記ボディー部に結合される、請求項６に記載のレンズ駆動ユニット。
【請求項８】
前記側方支持部材はワイヤを含み、
前記ボディー部は、前記ワイヤが貫通する結合孔、及び前記ボディー部の下面に前記結合孔に接するように形成される通電部を含む、請求項７に記載のレンズ駆動ユニット。
【請求項９】
前記ベースの上面には、前記センサ部が収容されるセンサ部収容溝が形成される、請求項１乃至８のいずれかに記載のレンズ駆動ユニット。
【請求項１０】
前記センサ部は、前記マグネットの磁力を感知するホールセンサを含み、
前記ホールセンサは、表面実装技術（ＳＭＴ、Ｓｕｒｆａｃｅ  Ｍｏｕｎｔｉｎｇ  Ｔｅｃｈｎｏｌｏｇｙ）を通じて前記パターンコイル部に実装される、請求項１乃至９のいずれかに記載のレンズ駆動ユニット。
【請求項１１】
前記ハウジングの内側に位置するボビンと、
前記ボビンに位置し、前記マグネットと対向するコイルと、
前記ボビンと前記ハウジングに結合され、前記ハウジングに対して前記ボビンを移動可能に支持する上側支持部材及び下側支持部材とをさらに含む、請求項１乃至１０のいずれかに記載のレンズ駆動ユニット。
【請求項１２】
前記上側支持部材は６つの上側通電部に分離されて備えられ、前記下側支持部材は２つの下側通電部に分離されて備えられ、
前記６つの上側通電部のうちの４つの上側通電部は、前記ボビンに位置するオートフォーカスフィードバック用センサと通電され、前記６つの上側通電部のうちの残りの２つの上側通電部は、通電部材を介して前記２つの下側通電部に接続されて、前記ボビンに位置する前記コイルと通電される、請求項１１に記載のレンズ駆動ユニット。
【請求項１３】
前記ハウジングを内側に収容し、下端が前記ベースと結合されるカバー部材をさらに含み、
前記カバー部材は、前記端子部を外部に露出させる切開部を含む、請求項１乃至１２のいずれかに記載のレンズ駆動ユニット。
【請求項１４】
前記端子部は、前記ベースの側面の一部が内側に陥没して形成される端子収容部に収容される、請求項２乃至１３のいずれかに記載のレンズ駆動ユニット。
【請求項１５】
前記ボディー部と前記端子部は一体に形成され、
前記端子部は前記ボディー部の両側方に位置する、請求項２乃至１４のいずれかに記載のレンズ駆動ユニット。
【発明の詳細な説明】
【技術分野】
【０００１】
本実施例は、レンズ駆動ユニット、カメラモジュール及び光学機器に関する。
【背景技術】
【０００２】
以下に記述される内容は、本実施例に対する背景情報を提供するものに過ぎず、従来技術を記載したものではない。
【０００３】
各種携帯端末機の普及が広く一般化され、無線インターネットサービスが商用化されることによって、携帯端末機と関連する消費者の要求も多様化されており、様々な種類の付加装置が携帯端末機に装着されている。
【０００４】
そのうち代表的なものとして、被写体を写真や動画で撮影するカメラモジュールがある。
【０００５】
一方、最近のカメラモジュールは、手振れ補正（ＯＩＳ、Ｏｐｔｉｃａｌ  Ｉｍａｇｅ  Ｓｔａｂｉｌｉｚａｔｉｏｎ）機能のためのＯＩＳアクチュエータを備えており、モジュール全体の高さの縮小及び製造工程の単純化に対するニーズがある。
【０００６】
従来のカメラモジュールでは、部品数が多いため単価が高くなり、工程数が増加し、製品の作製時に工程管理ポイントが増加してコストの増加につながり、製品全体の高さが高くなるという問題がある。
【０００７】
そして、印刷回路基板と回路部材の大きさが異なるため、印刷回路基板の一面に回路部材を組み立てるとき、印刷回路基板が歪む現象が発生してしまい、カメラモジュールの品質が低下するという問題があった。
【０００８】
また、印刷回路基板の一面に備えられるパッド（Ｐａｄ）部と、印刷回路基板が組み立てられるベースとの間に所定の遊隔が発生してしまい、接触（Ｃｏｎｔａｃｔ）不良が発生するという問題があった。
【０００９】
また、印刷回路基板の一面に備えられるパッド部のみが備えられる場合、ソルダリング（Ｓｏｌｄｅｒｉｎｇ）時にパッドの一部が印刷回路基板から分離されてしまい、カメラモジュールの品質が低下するという問題があった。
【００１０】
また、ベースの一面に印刷回路基板を備え、印刷回路基板の一面に回路部材を備えることができ、前記ベース、印刷回路基板及び回路部材を順次組み立てる場合、回路部材が前記ベースと直接接触しないため、回路部材の高さが一定にならないという問題があった。
【００１１】
また、印刷回路基板の一面に備えられるパッドから突出して備えられるパターン（Ｐａｔｔｅｒｎ）の厚さが薄い場合、パターンが外部から加わる所定の衝撃によりクラック（Ｃｒａｃｋ）が発生するという問題があった。
【００１２】
前記回路部材は、印刷回路基板の上部面に配置されるように組み立てることができる。
【００１３】
回路部材を印刷回路基板の上部に配置されるように組み立てる工程で回路部材が微細にチルト（Ｔｉｌｔｉｎｇ）される問題が発生した。
【００１４】
回路部材が印刷回路基板の上部面に平らに配置されずにチルトされて配置される場合、カメラモジュールの解像力が低下するという問題が発生することがある。
【００１５】
また、従来のレンズ駆動装置は、回路部材と印刷回路基板が一体に構成されるものではなく、回路部材と印刷回路基板を組み立てる構造を有しているため、回路部材と印刷回路基板との間に異物が侵入してしまい、カメラモジュールの解像力が低下するという問題があった。
【発明の概要】
【発明が解決しようとする課題】
【００１６】
上述した問題を解決するために、部品数、工程数、及び工程管理ポイントが縮小され、製品全体の高さが低くなるレンズ駆動ユニットを提供しようとする。
【００１７】
さらに、前記レンズ駆動ユニットを含むカメラモジュール及び光学機器を提供しようとする。
【００１８】
実施例に係るレンズ駆動装置及びそれを含むカメラモジュールは、印刷回路基板と回路部材の大きさが異なるため、印刷回路基板の一面に回路部材を組み立てるときに印刷回路基板が歪む現象が発生し、カメラモジュールの品質が低下する問題を防止する、レンズ駆動装置及びそれを含むカメラモジュールを提供することを解決しようとする課題とする。
【００１９】
また、実施例に係るレンズ駆動装置及びそれを含むカメラモジュールは、印刷回路基板の一面に備えられるパッド（Ｐａｄ）部と、印刷回路基板が組み立てられるベースとの間に所定の遊隔が発生して、接触（Ｃｏｎｔａｃｔ）不良が発生する問題を防止する、レンズ駆動装置及びそれを含むカメラモジュールを提供することを解決しようとする課題とする。
【００２０】
また、印刷回路基板の一面に備えられるパッド部のみが備えられる場合、ソルダリング（Ｓｏｌｄｅｒｉｎｇ）時にパッドの一部が印刷回路基板から分離されてカメラモジュールの品質が低下する問題を防止する、レンズ駆動装置及びそれを含むカメラモジュールを提供することを解決しようとする課題とする。
【００２１】
また、ベースの一面に印刷回路基板が備えられ、印刷回路基板の一面に回路部材が備えられるが、前記ベース、印刷回路基板及び回路部材を順次組み立てる場合、回路部材が前記ベースと直接接触しないため、回路部材の高さが一定にならない問題を防止する、レンズ駆動装置及びそれを含むカメラモジュールを提供することを解決しようとする課題とする。
【００２２】
また、印刷回路基板の一面に備えられるパッドから突出して備えられるパターン（Ｐａｔｔｅｒｎ）の厚さが薄い場合、パターンが外部から加わる所定の衝撃によりクラック（Ｃｒａｃｋ）が発生する問題を防止する、レンズ駆動装置及びそれを含むカメラモジュールを提供することを解決しようとする課題とする。
【００２３】
実施例に係るレンズ駆動装置及びそれを含むカメラモジュールは、回路部材を印刷回路基板の上部に配置されるように組み立てる工程で回路部材が微細にチルト（Ｔｉｌｔｉｎｇ）されることを防止する、レンズ駆動装置及びそれを含むカメラモジュールを提供することを解決しようとする課題とする。
【００２４】
回路部材が印刷回路基板の上部面に平らに配置されずにチルトされて配置される場合にカメラモジュールの解像力が低下する問題を防止する、レンズ駆動装置及びそれを含むカメラモジュールを提供することを解決しようとする課題とする。
【００２５】
また、回路部材と印刷回路基板とが一体に構成されるものではなく、回路部材と印刷回路基板を組み立てる構造を有しているため、回路部材と印刷回路基板との間に異物が侵入してカメラモジュールの解像力が低下するという従来のレンズ駆動装置の問題を防止する、レンズ駆動装置及びそれを含むカメラモジュールを提供することを解決しようとする課題とする。
【課題を解決するための手段】
【００２６】
本実施例に係るレンズ駆動ユニットは、ベース；前記ベースに対して移動可能に支持されるハウジング；前記ハウジングに位置するマグネット；前記マグネットと対向するパターンコイルを含み、前記ベースに位置するパターンコイル部；及び前記パターンコイル部に実装され、前記ハウジングの位置又は移動を感知するセンサ部を含み、前記パターンコイル部は、下側に前記センサ部が実装される第１層、及び前記第１層の上側に積層され、前記パターンコイルが形成される第２層を含むことができる。
【００２７】
前記パターンコイル部は、前記パターンコイルが形成されたボディー部、及び前記ボディー部から下側に折り曲げられて延びる端子部を含むことができる。
【００２８】
前記センサ部は、前記パターンコイルと光軸方向に重ならないように位置してもよい。
【００２９】
前記ボディー部は、中心に形成される貫通孔を含み、前記パターンコイルは、前記貫通孔の外側に位置する第１〜第４コイル体を含み、前記第１コイル体と前記第３コイル体は対向し、前記第２コイル体と前記第４コイル体は対向し、前記第１コイル体と第２コイル体の形状は対応し、前記第３コイル体と前記第４コイル体の形状は対応し、前記第１コイル体と前記第３コイル体の形状は対応しなくてもよい。
【００３０】
前記センサ部は、前記パターンコイルと光軸方向に重なるように位置し、前記パターンコイル部は、前記第１層と前記第２層との間に位置する第３層をさらに含むことができる。
【００３１】
前記ベースまたは前記ボディー部は、前記ハウジングが水平方向に移動するか、またはチルト（ｔｉｌｔ）されるように下側で支持することができる。
【００３２】
一端で前記ハウジングと結合される側方支持部材をさらに含み、前記側方支持部材の他端は前記ボディー部に結合されてもよい。
【００３３】
前記側方支持部材はワイヤを含み、前記ボディー部は、前記ワイヤが貫通する結合孔、及び前記ボディー部の下面に前記結合孔に接するように形成される通電部を含むことができる。
【００３４】
前記ベースの上面には、前記センサ部が収容されるセンサ部収容溝が形成されてもよい。
【００３５】
前記センサ部は、前記マグネットの磁力を感知するホールセンサを含み、前記ホールセンサは、表面実装技術（ＳＭＴ、Ｓｕｒｆａｃｅ  Ｍｏｕｎｔｉｎｇ  Ｔｅｃｈｎｏｌｏｇｙ）を通じて前記パターンコイル部に実装されてもよい。
【００３６】
前記レンズ駆動ユニットは、前記ハウジングの内側に位置するボビン；前記ボビンに位置し、前記マグネットと対向するコイル；及び前記ボビンと前記ハウジングに結合され、前記ハウジングに対して前記ボビンを移動可能に支持する上側支持部材及び下側支持部材をさらに含むことができる。
【００３７】
前記上側支持部材は６つの上側通電部に分離されて備えられ、前記下側支持部材は２つの下側通電部に分離されて備えられ、前記６つの上側通電部のうちの４つの上側通電部は、前記ボビンに位置するオートフォーカスフィードバック用センサと通電され、前記６つの上側通電部のうちの残りの２つの上側通電部は、通電部材を介して前記２つの下側通電部に接続されて、前記ボビンに位置する前記コイルと通電されてもよい。
【００３８】
前記レンズ駆動ユニットは、前記ハウジングを内側に収容し、下端が前記ベースと結合されるカバー部材をさらに含み、前記カバー部材は、前記端子部を外部に露出させる切開部を含むことができる。
【００３９】
前記端子部は、前記ベースの側面の一部が内側に陥没して形成される端子収容部に収容されてもよい。
【００４０】
前記端子部は前記ボディー部の両側方に位置してもよい。
【００４１】
本実施例に係るカメラモジュールは、ベース；前記ベースに対して移動可能に支持されるハウジング；前記ハウジングに位置するマグネット；前記マグネットと対向するパターンコイルを含み、前記ベースに位置するパターンコイル部；及び前記パターンコイル部に実装され、前記ハウジングの位置又は移動を感知するセンサ部を含み、前記パターンコイル部は、下側に前記センサ部が実装される第１層、及び前記第１層の上側に積層され、前記パターンコイルが形成される第２層を含むことができる。
【００４２】
本実施例に係る光学機器は、本体と、前記本体の一面に配置されて情報をディスプレイするディスプレイ部と、前記本体に設置されて映像又は写真を撮影するカメラモジュールとを含み、前記カメラモジュールは、ベース；前記ベースに対して移動可能に支持されるハウジング；前記ハウジングに位置するマグネット；前記マグネットと対向するパターンコイルを含み、前記ベースに位置するパターンコイル部；及び前記パターンコイル部に実装され、前記ハウジングの位置又は移動を感知するセンサ部を含み、前記パターンコイル部は、下側に前記センサ部が実装される第１層、及び前記第１層の上側に積層され、前記パターンコイルが形成される第２層を含むことができる。
【００４３】
実施例によるレンズ駆動装置及びそれを含むカメラモジュールは、上述した課題を解決するために、少なくとも一枚以上のレンズが内側に設置され、外周面には第１コイルが設置されたボビン、前記ボビンの周辺に前記第１コイルと対向して配置された第１マグネット、前記第１マグネットを支持するハウジング、及び前記ボビン及び前記ハウジングと結合される上側及び下側弾性部材を含むことによって、前記第１マグネットと前記第１コイルとの相互作用によって前記ボビンを光軸に平行な第１方向に移動させる第１レンズ駆動ユニットと、前記第１レンズ駆動ユニットと一定間隔離隔して配置されるベース、前記ハウジングを前記ベースに対して前記第１方向に直交する第２及び第３方向に移動可能に支持する複数の支持部材、前記第１マグネットに対向して配置された第２コイル、及び前記ベースの一面に接着部材によって配置される印刷回路基板を含むことによって、前記第１マグネットと前記第２コイルとの相互作用によって前記ハウジングを前記第２及び第３方向に移動させる第２レンズ駆動ユニットとを含み、前記印刷回路基板は、前記印刷回路基板の一面に複数個備えられる端子、及び前記複数個備えられる端子の両側面の一部を覆うように備えられるコーティング部材を含む、レンズ駆動装置を提供することを課題の解決手段とする。
【００４４】
また、前記端子は、前記印刷回路基板の一面に第１長さだけ離隔して複数個配置される、レンズ駆動装置を提供することを課題の解決手段とする。
【００４５】
また、前記第１長さは０．０１μｍ〜０．４５μｍである、レンズ駆動装置を提供することを課題の解決手段とする。
【００４６】
また、前記コーティング部材は、少なくとも２つ以上の前記端子の一面に一体に備えられる、レンズ駆動装置を提供することを課題の解決手段とする。
【００４７】
また、前記端子は、前記印刷回路基板の両端に配置される第１端子、及び前記第１端子の間に配置される第２端子を含む、レンズ駆動装置を提供することを課題の解決手段とする。
【００４８】
また、前記コーティング部材は、前記第１端子の一側面を覆うように備えられ、前記第２端子の両側面を覆うように備えられる、レンズ駆動装置を提供することを課題の解決手段とする。
【００４９】
また、前記コーティング部材は、ＰＳＲ（Ｐｈｏｔｏ  Ｓｏｌｄｅｒ  Ｒｅｓｉｓｔ）またはカバーレイ（Ｃｏｖｅｒｌａｙ）として備えられる、レンズ駆動装置を提供することを課題の解決手段とする。
【００５０】
また、前記印刷回路基板は、前記印刷回路基板の中心から半径方向外側に向かって突出する少なくとも１つ以上の突出中空部を含む中空状である、レンズ駆動装置を提供することを課題の解決手段とする。
【００５１】
また、前記第２コイルを含む回路部材をさらに含み、前記回路部材の第１方向の対角長は前記印刷回路基板の第１方向の対角長と同一である、レンズ駆動装置を提供することを課題の解決手段とする。
【００５２】
また、前記回路部材の前記第１方向と交差する第２方向の対角長は前記印刷回路基板の前記第２方向の対角長と同一である、レンズ駆動装置を提供することを課題の解決手段とする。
【００５３】
また、少なくとも一枚以上のレンズが内側に設置され、外周面には第１コイルが設置されたボビン、前記ボビンの周辺に前記第１コイルと対向して配置された第１マグネット、前記第１マグネットを支持するハウジング、及び前記ボビン及び前記ハウジングと結合される上側及び下側弾性部材を含むことによって、前記第１マグネットと前記第１コイルとの相互作用によって前記ボビンを光軸に平行な第１方向に移動させる第１レンズ駆動ユニットと、前記第１レンズ駆動ユニットと一定間隔離隔して配置されるベース、前記ハウジングを前記ベースに対して前記第１方向に直交する第２及び第３方向に移動可能に支持する複数の支持部材、前記第１マグネットに対向して配置された第２コイル、及び前記ベースの一面に接着部材によって配置される印刷回路基板を含むことによって、前記第１マグネットと前記第２コイルとの相互作用によって前記ハウジングを前記第２及び第３方向に移動させる第２レンズ駆動ユニットとを含み、前記印刷回路基板は、前記印刷回路基板の一面に複数個備えられる端子、及び前記複数個備えられる端子の両側面の一部を覆うように備えられるコーティング部材を含む、レンズ駆動装置、イメージセンサ、及び前記イメージセンサが実装される回路基板を含む、カメラモジュールを提供することを課題の解決手段とする。
【００５４】
また、前記端子の厚さは４００μｍ以上である、カメラモジュールを提供することを課題の解決手段とする。
【００５５】
また、前記印刷回路基板は、前記印刷回路基板の中心から半径方向外側に向かって突出する少なくとも１つ以上の突出中空部を含む中空状である、カメラモジュールを提供することを課題の解決手段とする。
【００５６】
また、前記第２コイルを含む回路部材をさらに含み、前記回路部材の第１方向の対角長は前記印刷回路基板の第１方向の対角長と同一である、カメラモジュールを提供することを課題の解決手段とする。
【００５７】
また、前記コーティング部材は、ＰＳＲ（Ｐｈｏｔｏ  Ｓｏｌｄｅｒ  Ｒｅｓｉｓｔ）またはカバーレイ（Ｃｏｖｅｒｌａｙ）として備えられる、カメラモジュールを提供することを課題の解決手段とする。
【００５８】
また、前記コーティング部材は、前記端子の上面の一部を覆うように備えられる、カメラモジュールを提供することを課題の解決手段とする。
【００５９】
実施例に係るレンズ駆動装置及びそれを含むカメラモジュールは、上述した課題を解決するために、少なくとも一枚以上のレンズが内側に設置され、外周面には第１コイルが設置されたボビン、前記ボビンの周辺に前記第１コイルと対向して配置された第１マグネット、前記第１マグネットを支持するハウジング、及び前記ボビン及び前記ハウジングと結合される上側及び下側弾性部材を含むことによって、前記第１マグネットと前記第１コイルとの相互作用によって前記ボビンを光軸に沿う第１方向に移動させる第１レンズ駆動ユニットと、前記第１レンズ駆動ユニットと一定間隔離隔して配置されるベース、前記ハウジングを前記ベースに対して前記第１方向に直交する第２及び第３方向に移動可能に支持する複数の支持部材、前記第１マグネットに対向して配置された第２コイル、及び前記ベースの一面に接着部材によって配置される回路部材を含み、前記第１マグネットと前記第２コイルとの相互作用によって前記ハウジングを前記第２及び第３方向に移動させる第２レンズ駆動ユニットとを含み、前記回路部材は、前記回路部材を制御部と電気的に接続させる少なくとも１つ以上のパターン部を含む第１回路基板部、前記第１回路基板部の上部に配置される第２回路基板部、及び前記第１回路基板部の下部に配置される第３回路基板部を含み、前記第１回路基板部、第２回路基板部及び第３回路基板部は前記第２コイルを含み、前記回路部材と前記第２コイルは一体に形成される、レンズ駆動装置を提供することを課題の解決手段とする。
【００６０】
また、前記第１回路基板部は、複数の回路基板を含み、前記制御部と電気的に接続される端子部を含む、レンズ駆動装置を提供することを課題の解決手段とする。
【００６１】
また、前記第２回路基板部及び第３回路基板部は、それぞれ少なくとも１つ以上の回路基板を含む、レンズ駆動装置を提供することを課題の解決手段とする。
【００６２】
また、前記第３回路基板部の最下部の回路基板には、前記第２コイルが形成されず、前記第２コイルの位置に対応する部分に位置センサが実装される、レンズ駆動装置を提供することを課題の解決手段とする。
【００６３】
また、前記第１回路基板部、第２回路基板部及び第３回路基板部に配置される前記第２コイルは、それぞれ５ターン（Ｔｕｒｎ）以上巻線される、レンズ駆動装置を提供することを課題の解決手段とする。
【００６４】
また、前記回路部材は少なくとも６つの回路基板を含む、レンズ駆動装置を提供することを課題の解決手段とする。
【００６５】
また、前記少なくとも６つの回路基板のうち１つの基板は、第２コイルが形成されず、前記第２コイルの位置に対応する部分に位置センサが実装される、レンズ駆動装置を提供することを課題の解決手段とする。
【００６６】
また、前記回路基板は軟性基板（ＦＰＣＢ、Ｆｌｅｘｉｂｌｅ  Ｐｒｉｎｔｅｄ  Ｃｉｒｃｕｉｔ  Ｂｏａｒｄ）からなる、レンズ駆動装置を提供することを課題の解決手段とする。
【００６７】
また、請求項１に記載の前記レンズ駆動装置、前記イメージセンサ、及び前記イメージセンサが実装されるセンサ基板を含む、カメラモジュールを提供することを課題の解決手段とする。
【００６８】
また、少なくとも一枚以上のレンズが内側に設置され、外周面には第１コイルが設置されたボビン、前記ボビンの周辺に前記第１コイルと対向して配置された第１マグネット、前記第１マグネットを支持するハウジング、及び前記ボビン及び前記ハウジングと結合される上側及び下側弾性部材を含むことによって、前記第１マグネットと前記第１コイルとの相互作用によって前記ボビンを光軸に沿う第１方向に移動させる第１レンズ駆動ユニットと、前記第１レンズ駆動ユニットと一定間隔離隔して配置されるベース、前記ハウジングを前記ベースに対して前記第１方向に直交する第２及び第３方向に移動可能に支持する複数の支持部材、前記ベースの一面に接着部材によって配置される回路部材、前記回路部材の下部面に配置される回路基板部、及び前記回路部材及び／又は回路基板部に巻線される第２コイルを含み、前記第１マグネットと前記第２コイルとの相互作用によって前記ハウジングを前記第２及び第３方向に移動させる第２レンズ駆動ユニットとを含み、前記回路基板部と前記回路部材は一体に形成される、レンズ駆動装置を提供することを課題の解決手段とする。
【００６９】
また、前記回路基板部は、前記回路基板部を制御部と電気的に接続させる少なくとも１つ以上のパターン部を含む第１回路基板部、及び前記第１回路基板部上に配置される第２回路基板部を含む、レンズ駆動装置を提供することを課題の解決手段とする。
【００７０】
また、前記回路部材は、第１回路部材、前記第１回路部材の下部に配置される第２回路部材、前記第２回路部材の下部に配置される第３回路部材、及び前記第４回路部材の下部に配置される第４回路部材を含む、レンズ駆動装置を提供することを課題の解決手段とする。
【００７１】
また、前記回路基板部は、前記第２回路部材と前記第３回路部材との間に配置される、レンズ駆動装置を提供することを課題の解決手段とする。
【００７２】
また、前記回路部材のうちの少なくとも１つは第２コイルが巻線されない、レンズ駆動装置を提供することを課題の解決手段とする。
【発明の効果】
【００７３】
本発明を通じて、部品数、工程数、及び工程管理ポイントの縮小によって原価低減効果を期待することができる。
【００７４】
また、製品全体の高さが低くなるので、小型化に寄与することができる。
【００７５】
実施例に係るレンズ駆動装置及びそれを含むカメラモジュールは、印刷回路基板と回路部材の大きさが異なるため、印刷回路基板の一面に回路部材を組み立てるときに印刷回路基板が歪む現象が発生し、カメラモジュールの品質が低下する問題を防止する、レンズ駆動装置及びそれを含むカメラモジュールを提供することを発明の効果とする。
【００７６】
また、実施例に係るレンズ駆動装置及びそれを含むカメラモジュールは、印刷回路基板の一面に備えられるパッド（Ｐａｄ）部と、印刷回路基板が組み立てられるベースとの間に所定の遊隔が発生して接触（Ｃｏｎｔａｃｔ）不良が発生する問題を防止する、レンズ駆動装置及びそれを含むカメラモジュールを提供することを発明の効果とする。
【００７７】
また、印刷回路基板の一面に備えられるパッド部のみが備えられる場合、ソルダリング（Ｓｏｌｄｅｒｉｎｇ）時にパッドの一部が印刷回路基板から分離されてカメラモジュールの品質が低下する問題を防止する、レンズ駆動装置及びそれを含むカメラモジュールを提供することを発明の効果とする。
【００７８】
また、ベースの一面に印刷回路基板が備えられ、印刷回路基板の一面に回路部材が備えられるが、前記ベース、印刷回路基板及び回路部材を順次組み立てる場合、回路部材が前記ベースと直接接触しないため、回路部材の高さが一定にならない問題を防止する、レンズ駆動装置及びそれを含むカメラモジュールを提供することを発明の効果とする。
【００７９】
また、印刷回路基板の一面に備えられるパッドから突出して備えられるパターン（Ｐａｔｔｅｒｎ）の厚さが薄い場合、パターンが外部から加わる所定の衝撃によりクラック（Ｃｒａｃｋ）が発生する問題を防止する、レンズ駆動装置及びそれを含むカメラモジュールを提供することを発明の効果とする。
【００８０】
実施例に係るレンズ駆動装置及びそれを含むカメラモジュールは、回路部材を印刷回路基板の上部に配置されるように組み立てる工程で回路部材が微細にチルト（Ｔｉｌｔｉｎｇ）されることを防止する、レンズ駆動装置及びそれを含むカメラモジュールを提供することを発明の効果とする。
【００８１】
回路部材が印刷回路基板の上部面に平らに配置されずにチルトされて配置される場合にカメラモジュールの解像力が低下する問題を防止する、レンズ駆動装置及びそれを含むカメラモジュールを提供することを発明の効果とする。
【００８２】
また、回路部材と印刷回路基板とが一体に構成されるものではなく、回路部材と印刷回路基板を組み立てる構造を有しているため、回路部材と印刷回路基板との間に異物が侵入してカメラモジュールの解像力が低下するという従来のレンズ駆動装置の問題を防止する、レンズ駆動装置及びそれを含むカメラモジュールを提供することを発明の効果とする。
【図面の簡単な説明】
【００８３】
【図１】本実施例に係るレンズ駆動ユニットの斜視図である。
【図２】本実施例に係るレンズ駆動ユニットの分解斜視図である。
【図３】本実施例に係るレンズ駆動ユニットのパターンコイル部の斜視図である。
【図４】本実施例に係るレンズ駆動ユニットのパターンコイル部と第２センサ部の結合状態を示す底面斜視図である。
【図５】本実施例に係るレンズ駆動ユニットのパターンコイル部と第２センサ部の結合状態を示す斜視図及び部分拡大図である。
【図６】本実施例に係るレンズ駆動ユニットのパターンコイル部とベースの結合状態を示す斜視図である。
【図７】一実施例に係るベース、印刷回路基板、第２コイルを示す図である。
【図８】一実施例に係る印刷回路基板の上部面を示す図である。
【図９】一実施例に係る印刷回路基板の下部面を示す図である。
【図１０】一実施例に係る印刷回路基板の第３印刷回路基板部２５０ｃを詳細に示す図である。
【図１１】一実施例に係る第３印刷回路基板部２５０ｃに配置される第１端子、及び第３印刷回路基板部２５０ｃに配置される第２端子を示す図である。
【図１２】一実施例に係る第２コイルを含む回路部材及び印刷回路基板の分解図である。
【図１３】一実施例に係る第１回路基板を示す図である。
【図１４】一実施例に係る第２回路基板を示す図である。
【発明を実施するための形態】
【００８４】
以下、本発明の一部の実施例を例示的な図面を参照して説明する。各図面の構成要素に参照符号を付与するにおいて、同一の構成要素に対しては、たとえ他の図面上に表示されていても、可能な限り同一の符号で表示する。また、本発明の実施例を説明するにおいて、関連する公知の構成又は機能に対する具体的な説明が本発明の実施例に対する理解を曖昧にすると判断される場合には、その詳細な説明は省略する。
【００８５】
また、本発明の実施例の構成要素を説明するにおいて、第１、第２、Ａ、Ｂ、（ａ）、（ｂ）などの用語を使用することができる。このような用語は、その構成要素を他の構成要素と区別するためのものに過ぎず、その用語によって当該構成要素の本質や順序又は手順などが限定されない。ある構成要素が他の構成要素に「連結」、「結合」又は「接続」されると記載される場合、その構成要素は、その他の構成要素に直接的に連結、結合又は接続されてもよいが、それら構成要素の間に更に他の構成要素が「連結」、「結合」又は「接続」されてもよいと理解されるべきである。
【００８６】
以下で使用される「光軸方向」は、レンズ駆動ユニットに結合された状態のレンズモジュールの光軸方向として定義する。一方、「光軸方向」は、上下方向、ｚ軸方向などと混用されてもよい。
【００８７】
以下で使用される「オートフォーカス機能」は、イメージセンサに被写体の鮮明な映像が得られるように、被写体の距離によってレンズモジュールを光軸方向に移動させてイメージセンサとの距離を調節することによって、被写体に対する焦点を合わせる機能として定義する。一方、「オートフォーカス」は、「ＡＦ（Ａｕｔｏ  Ｆｏｃｕｓ）」と混用されてもよい。
【００８８】
以下で使用される「手振れ補正機能」は、外力によってイメージセンサに発生する振動（動き）を相殺するように、レンズモジュールを光軸方向と垂直な方向に移動させるか、またはチルトさせる機能として定義する。一方、「手振れ補正」は、「ＯＩＳ（Ｏｐｔｉｃａｌ  Ｉｍａｇｅ  Ｓｔａｂｉｌｉｚａｔｉｏｎ）」と混用されてもよい。
【００８９】
以下では、本実施例に係る光学機器の構成を説明する。
【００９０】
本実施例に係る光学機器は、携帯電話、スマートフォン（ｓｍａｒｔ  ｐｈｏｎｅ）、携帯用スマート機器、デジタルカメラ、ラップトップコンピュータ（ｌａｐｔｏｐ  ｃｏｍｐｕｔｅｒ）、デジタル放送用端末機、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ナビゲーションなどであってもよいが、これに制限されるものではなく、映像または写真を撮影するためのいかなる装置も可能である。
【００９１】
本実施例に係る光学機器は、本体（図示せず）と、前記本体の一面に配置されて情報をディスプレイするディスプレイ部（図示せず）と、前記本体に設置されて映像または写真を撮影し、カメラモジュール（図示せず）を有するカメラ（図示せず）とを含むことができる。
【００９２】
以下では、本実施例に係るカメラモジュールの構成を説明する。
【００９３】
カメラモジュールは、レンズ駆動ユニット１０、レンズモジュール（図示せず）、赤外線遮断フィルタ（図示せず）、印刷回路基板（図示せず）、イメージセンサ（図示せず）、制御部（図示せず）をさらに含むことができる。
【００９４】
レンズモジュールは、１つ以上のレンズ（図示せず）、及び１つ以上のレンズを収容するレンズバレルを含むことができる。ただし、レンズモジュールの一構成がレンズバレルに限定されるものではなく、１つ以上のレンズを支持できるホルダー構造であれば、いかなるものでも可能である。レンズモジュールは、レンズ駆動ユニット１０に結合されてレンズ駆動ユニット１０と共に移動することができる。レンズモジュールは、一例として、レンズ駆動ユニット１０の内側に結合されてもよい。レンズモジュールは、一例として、レンズ駆動ユニット１０と螺合されてもよい。レンズモジュールは、一例として、レンズ駆動ユニット１０と接着剤（図示せず）によって結合されてもよい。一方、レンズモジュールを通過した光はイメージセンサに照射され得る。
【００９５】
赤外線遮断フィルタは、イメージセンサに赤外線領域の光が入射することを遮断することができる。赤外線遮断フィルタは、一例として、レンズモジュールとイメージセンサとの間に位置することができる。赤外線遮断フィルタは、ベース５００とは別途に備えられるホルダー部材（図示せず）に位置することができる。ただし、赤外線フィルタは、ベース５００の中央部に形成される貫通孔５１０に装着されてもよい。赤外線フィルタは、一例として、フィルム材質またはガラス材質で形成することができる。一方、赤外線フィルタは、一例として、撮像面保護用カバーガラス、カバーガラスのような平板状の光学的フィルタに赤外線遮断コーティング物質がコーティングされて形成されてもよい。
【００９６】
印刷回路基板はレンズ駆動ユニット１０を支持することができる。印刷回路基板にはイメージセンサが実装されてもよい。一例として、印刷回路基板の上面内側にはイメージセンサが位置し、印刷回路基板の上面外側にはセンサホルダー（図示せず）が位置することができる。センサホルダーの上側にはレンズ駆動ユニット１０が位置することができる。または、印刷回路基板の上面外側にレンズ駆動ユニット１０が位置し、印刷回路基板の上面内側にイメージセンサが位置することができる。このような構造によって、レンズ駆動ユニット１０の内側に収容されたレンズモジュールを通過した光が、印刷回路基板に実装されるイメージセンサに照射され得る。印刷回路基板は、レンズ駆動ユニット１０に電源を供給することができる。一方、印刷回路基板には、レンズ駆動ユニット１０を制御するための制御部が位置することができる。
【００９７】
イメージセンサは印刷回路基板に実装することができる。イメージセンサは、レンズモジュールと光軸が一致するように位置することができる。これによって、イメージセンサは、レンズモジュールを通過した光を獲得することができる。イメージセンサは、照射される光を映像として出力することができる。イメージセンサは、一例として、ＣＣＤ（ｃｈａｒｇｅ  ｃｏｕｐｌｅｄ  ｄｅｖｉｃｅ、電荷結合素子）、ＭＯＳ（ｍｅｔａｌ  ｏｘｉｄｅ  ｓｅｍｉ−ｃｏｎｄｕｃｔｏｒ、金属酸化物半導体）、ＣＰＤ及びＣＩＤであってもよい。ただし、イメージセンサの種類がこれに制限されるものではない。
【００９８】
制御部は印刷回路基板に実装することができる。制御部は、レンズ駆動ユニット１０の外側に位置することができる。ただし、制御部は、レンズ駆動ユニット１０の内側に位置してもよい。制御部は、レンズ駆動ユニット１０をなす構成のそれぞれに対して供給する電流の方向、強度及び振幅などを制御することができる。制御部は、レンズ駆動ユニット１０を制御して、カメラモジュールのオートフォーカス機能及び手振れ補正機能のいずれか１つ以上を行うことができる。すなわち、制御部は、レンズ駆動ユニット１０を制御して、レンズモジュールを光軸方向に移動させたり、光軸方向と垂直な方向に移動させたり、チルト（ｔｉｌｔ）させることができる。さらに、制御部は、オートフォーカス機能及び／又は手振れ補正機能のフィードバック（Ｆｅｅｄｂａｃｋ）制御を行うことができる。より詳細には、制御部は、センサ部７００によって感知されたボビン２１０またはハウジング３１０の位置に基づいて、第１駆動部２２０乃至パターンコイル４１０に印加する電源又は電流を制御することができる。
【００９９】
以下では、本実施例に係るレンズ駆動ユニット１０の構成について、図面を参照して説明する。
【０１００】
図１は、本実施例に係るレンズ駆動ユニットの斜視図であり、図２は、本実施例に係るレンズ駆動ユニットの分解斜視図であり、図３は、本実施例に係るレンズ駆動ユニットのパターンコイル部の斜視図であり、図４は、本実施例に係るレンズ駆動ユニットのパターンコイル部と第２センサ部の結合状態を示す底面斜視図であり、図５は、本実施例に係るレンズ駆動ユニットのパターンコイル部と第２センサ部の結合状態を示す斜視図及び部分拡大図であり、図６は、本実施例に係るレンズ駆動ユニットのパターンコイル部とベースの結合状態を示す斜視図である。
【０１０１】
図１乃至図６を参照すると、本実施例に係るレンズ駆動ユニット１０は、カバー部材１００、第１可動子２００、第２可動子３００、パターンコイル部４００、ベース５００、支持部材６００及びセンサ部７００を含むことができる。ただし、本実施例に係るレンズ駆動ユニット１０では、カバー部材１００、第１可動子２００、第２可動子３００、パターンコイル部４００、ベース５００、支持部材６００及びセンサ部７００のいずれか１つ以上が省略されてもよい。特に、センサ部７００は、オートフォーカスフィードバック機能及び／又は手振れ補正フィードバック機能のための構成であって、省略可能である。
【０１０２】
カバー部材１００は、レンズ駆動ユニット１０の外観を形成することができる。カバー部材１００は、下部が開放された六面体形状であってもよい。ただし、これに制限されるものではない。カバー部材１００は、上板１０１、及び上板１０１の外縁から下側に延びる側板１０２を含むことができる。一方、カバー部材１００の側板１０２の下端は、ベース５００に装着され得る。カバー部材１００とベース５００によって形成される内部空間には、第１可動子２００、第２可動子３００、パターンコイル部４００及び支持部材６００が位置することができる。また、カバー部材１００は、内側面がベース５００の側面の一部または全部と密着してベース５００に装着され得る。このような構造によって、カバー部材１００は、外部の衝撃から内部構成要素を保護すると同時に、外部汚染物質浸透防止機能を有することができる。
【０１０３】
カバー部材１００は、一例として、金属材で形成されてもよい。より詳細には、カバー部材１００は、金属の板材で形成されてもよい。この場合、カバー部材１００は、電波干渉を遮断することができる。すなわち、カバー部材１００は、レンズ駆動ユニット１０の外部で発生する電波がカバー部材１００の内側に流入することを遮断することができる。また、カバー部材１００は、カバー部材１００の内部で発生した電波がカバー部材１００の外側に放出されることを遮断することができる。ただし、カバー部材１００の材質がこれに制限されるものではない。
【０１０４】
カバー部材１００は、上板１０１に形成されてレンズモジュールを露出させる開口部１１０を含むことができる。開口部１１０は、レンズモジュールと対応する形状に備えることができる。開口部１１０の大きさは、レンズモジュールが開口部１１０を介して組み立てられるように、レンズモジュールの直径よりも大きく形成することができる。また、開口部１１０を介して流入した光がレンズモジュールを通過することができる。一方、レンズモジュールを通過した光はイメージセンサに伝達され得る。
【０１０５】
カバー部材１００は、端子部４３０を外部に露出させる切開部１２０を含むことができる。切開部１２０は、カバー部材１００の下部の一部が省略された形態であってもよい。切開部１２０は、端子部４３０を外部に露出させ、端子部４３０と離隔し得る。切開部１２０と端子部４３０との間には絶縁物質が塗布されることによって、カバー部材１００と端子部４３０との間の通電を防止することができる。
【０１０６】
第１可動子２００は、カメラモジュールの構成要素であるレンズモジュール（ただし、レンズモジュールは、レンズ駆動ユニット１０の構成要素として説明されることもできる）と結合され得る。レンズモジュールは、第１可動子２００の内側に位置することができる。第１可動子２００の内周面にレンズモジュールの外周面が結合され得る。一方、第１可動子２００は、第２可動子３００との相互作用を通じて、レンズモジュールと一体に移動することができる。すなわち、第１可動子２００はレンズモジュールを移動させることができる。
【０１０７】
第１可動子２００は、ボビン２１０及び第１駆動部２２０を含むことができる。第１可動子２００は、レンズモジュールと結合するボビン２１０を含むことができる。第１可動子２００は、ボビン２１０に位置し、第２駆動部３２０との電磁気的相互作用によって移動する第１駆動部２２０を含むことができる。
【０１０８】
ボビン２１０はレンズモジュールと結合され得る。より詳細には、ボビン２１０の内周面にはレンズモジュールの外周面が結合され得る。一方、ボビン２１０には第１駆動部２２０が結合され得る。また、ボビン２１０の下部は下側支持部材６２０と結合され、ボビン２１０の上部は上側支持部材６１０と結合され得る。ボビン２１０は、ハウジング３１０の内側に位置することができる。ボビン２１０は、ハウジング３１０に対して光軸方向に相対的に移動することができる。
【０１０９】
ボビン２１０は、内側に形成されるレンズ結合部２１１を含むことができる。レンズ結合部２１１にはレンズモジュールが結合され得る。レンズ結合部２１１の内周面には、レンズモジュールの外周面に形成されるねじ山と対応する形状のねじ山が形成されてもよい。すなわち、レンズ結合部２１１の内周面にレンズモジュールの外周面が螺合することができる。一方、レンズモジュールとボビン２１０との間には接着剤を注入することができる。このとき、接着剤は、紫外線（ＵＶ）によって硬化するエポキシであってもよい。すなわち、レンズモジュールとボビン２１０とは紫外線硬化エポキシによって接着することができる。または、レンズモジュールとボビン２１０とは熱によって硬化するエポキシによって接着されてもよい。
【０１１０】
ボビン２１０は、第１駆動部２２０が巻線または装着される第１駆動部結合部２１２を含むことができる。第１駆動部結合部２１２は、ボビン２１０の外側面と一体に形成されてもよい。また、第１駆動部結合部２１２は、ボビン２１０の外側面に沿って連続的に形成されるか、または所定間隔で離隔して形成されてもよい。第１駆動部結合部２１２は、ボビン２１０の外側面の一部が陥没して形成される陥没部を含むことができる。陥没部には第１駆動部２２０が位置することができ、このとき、第１駆動部２２０は、第１駆動部結合部２１２によって支持できる。
【０１１１】
一例として、第１駆動部結合部２１２は、陥没部の上下側に突出した部分が位置して形成されてもよく、このとき、第１駆動部２２２のコイルは第１駆動部結合部２１２の陥没部に直巻線されてもよい。または、他の例として、第１駆動部結合部２１２は、陥没部の上側又は下側が開放された形態であり、他の側に係止部が備えられて形成されてもよく、このとき、第１駆動部２２２のコイルは、予め巻線された状態で開放された部分を介して挿入結合されてもよい。
【０１１２】
ボビン２１０は、上側支持部材６１０と結合される上側結合部２１３を含むことができる。上側結合部２１３は、上側支持部材６１０の内側部６１２と結合され得る。一例として、上側結合部２１３の突起（図示せず）は、内側部６１２の溝又はホール（図示せず）に挿入されて結合されてもよい。一方、上側支持部材６１０に突起が備えられ、ボビン２１０に溝又はホールが備えられることによって、両者が結合されてもよい。一方、ボビン２１０は、下側支持部材６２０と結合される下側結合部（図示せず）を含むことができる。ボビン２１０の下部に形成される下側結合部は下側支持部材６２０の内側部６２２と結合され得る。一例として、下側結合部の突起（図示せず）は、内側部６２２の溝又はホール（図示せず）に挿入されて結合されてもよい。一方、下側支持部材６２０に突起が備えられ、ボビン２１０に溝又はホールが備えられることによって、両者が結合されてもよい。
【０１１３】
第１駆動部２２０は、第２可動子３００の第２駆動部３２０と対向して位置することができる。第１駆動部２２０は、第２駆動部３２０との電磁気的相互作用を通じて、ボビン２１０をハウジング３１０に対して移動させることができる。第１駆動部２２０は、コイルを含むことができる。コイルは、第１駆動部結合部２１２にガイドされてボビン２１０の外側面に巻線されてもよい。また、他の実施例として、コイルは、４つのコイルが独立して備えられ、隣り合う２つのコイルが相互間に９０°をなすようにボビン２１０の外側面に配置されてもよい。第１駆動部２２０がコイルを含む場合、コイルに供給される電源は下側支持部材６２０を介して供給されてもよい。このとき、下側支持部材６２０は、コイルに対する電源供給のために、一対に分離されて備えられてもよい。一方、第１駆動部２２０は、電源供給のための一対の引き出し線（図示せず）を含むことができる。この場合、第１駆動部２２０の一対の引き出し線のそれぞれは、一対の下側支持部材６２０のそれぞれに電気的に結合され得る。または、第１駆動部２２０は、上側支持部材６１０から電源の供給を受けることができる。一方、コイルに電源が供給されると、コイルの周辺には電磁場が形成され得る。他の実施例として、第１駆動部２２０がマグネットを含み、第２駆動部３２０がコイルを含むことができる。
【０１１４】
第２可動子３００は、第１可動子２００の外側に第１可動子２００と対向して位置することができる。第２可動子３００は、下側に位置するベース５００によって支持され得る。第２可動子３００は、固定部材によって支持され得る。このとき、固定部材は、ベース５００及びパターンコイル部４００を含むことができる。すなわち、第２可動子３００は、ベース５００及び／又はパターンコイル部４００によって支持され得る。第２可動子３００はカバー部材１００の内側空間に位置することができる。
【０１１５】
第２可動子３００は、ハウジング３１０及び第２駆動部３２０を含むことができる。第２可動子３００は、ボビン２１０の外側に位置するハウジング３１０を含むことができる。また、第２可動子３００は、第１駆動部２２０と対向して位置し、ハウジング３１０に固定される第２駆動部３２０を含むことができる。
【０１１６】
ハウジング３１０の少なくとも一部は、カバー部材１００の内側面と対応する形状に形成することができる。特に、ハウジング３１０の外側面は、カバー部材１００の側板１０２の内側面と対応する形状に形成することができる。ハウジング３１０の外側面及びカバー部材１００の側板１０２の内側面は、平らに形成することができる。より詳細には、ハウジング３１０が初期位置にある場合、ハウジング３１０の外側面とカバー部材１００の側板１０２の内側面は平行である。この場合、ハウジング３１０がカバー部材１００側に最大限移動すると、ハウジング３１０の外側面とカバー部材１００の側板１０２の内側面とが面接するので、ハウジング３１０及び／又はカバー部材１００に発生する衝撃を分散させることができる。ハウジング３１０は、一例として、４つの側面を含む六面体形状であってもよい。ただし、ハウジング３１０の形状は、カバー部材１００の内部に配置可能であれば、いかなる形状であってもよい。
【０１１７】
ハウジング３１０は、絶縁材質で形成され、生産性を考慮して射出物であってもよい。ハウジング３１０は、ＯＩＳ駆動のために動く部分であって、カバー部材１００と一定距離だけ離隔して配置されてもよい。ただし、ＡＦモデルでは、ハウジング３１０がベース５００上に固定され得る。または、ＡＦモデルでは、ハウジング３１０が省略され、第２駆動部３２０として備えられるマグネットがカバー部材１００に固定されてもよい。
【０１１８】
ハウジング３１０は、上側及び下側が開放され、第１可動子２００を上下方向に移動可能に収容することができる。ハウジング３１０は、内側に上下開放型の内側空間３１１を含むことができる。内側空間３１１には、ボビン２１０が移動可能に位置することができる。すなわち、内側空間３１１は、ボビン２１０と対応する形状に備えることができる。また、内側空間３１１を形成するハウジング３１０の内周面は、ボビン２１０の外周面と離隔して位置することができる。ハウジング３１０は、ベース５００に対して移動可能に支持され得る。すなわち、ハウジング３１０は、ベース５００を基準として水平方向に移動するか、またはチルトされてもよい。
【０１１９】
ハウジング３１０は、側面に、第２駆動部３２０と対応する形状に形成されて第２駆動部３２０を収容する第２駆動部結合部３１２を含むことができる。すなわち、第２駆動部結合部３１２は、第２駆動部３２０を収容して固定することができる。第２駆動部３２０は、第２駆動部結合部３１２に接着剤（図示せず）によって固定されてもよい。一方、第２駆動部結合部３１２は、ハウジング３１０の内周面に位置することができる。この場合、第２駆動部３２０の内側に位置する第１駆動部２２０との電磁気的相互作用に有利であるという利点がある。また、第２駆動部結合部３１２は、一例として、下部が開放された形状であってもよい。この場合、第２駆動部３２０の下側に位置するボディー部４２０と第２駆動部３２０との間の電磁気的相互作用に有利であるという利点がある。一例として、第２駆動部３２０の下端は、ハウジング３１０の下端よりも下側に突出して位置することができる。第２駆動部結合部３１２は、一例として、４つ備えられてもよい。４つの第２駆動部結合部３１２のそれぞれには第２駆動部３２０が結合され得る。
【０１２０】
ハウジング３１０の上部には上側支持部材６１０が結合され、ハウジング３１０の下部には下側支持部材６２０が結合され得る。ハウジング３１０は、上側支持部材６１０と結合される上側結合部３１３を含むことができる。上側結合部３１３は、上側支持部材６１０の外側部６１１と結合され得る。一例として、上側結合部３１３の突起は、外側部６１１の溝又はホール（図示せず）に挿入されて結合されてもよい。一方、変形例として、上側支持部材６１０に突起が備えられ、ハウジング３１０に溝又はホールが備えられることによって、両者が結合されてもよい。一方、ハウジング３１０は、下側支持部材６２０と結合される下側結合部（図示せず）を含むことができる。ハウジング３１０の下部に形成される下側結合部は、下側支持部材６２０の外側部６２１と結合することができる。一例として、下側結合部の突起は、外側部６２１の溝又はホール（図示せず）に挿入されて結合されてもよい。一方、変形例として、下側支持部材６２０に突起が備えられ、ハウジング３１０に溝又はホールが備えられることによって、両者が結合されてもよい。
【０１２１】
ハウジング３１０は、第１側面、第１側面と隣接する第２側面、及び第１側面と第２側面との間に位置するコーナー部を含むことができる。ハウジング３１０のコーナー部には上側ストッパー（図示せず）が位置することができる。上側ストッパーは、カバー部材１００と上下方向に重なることができる。外部衝撃によってハウジング３１０が上側に移動する場合、上側ストッパーは、カバー部材１００と接触してハウジング３１０の上側への移動を制限することができる。
【０１２２】
第２駆動部３２０は、第１可動子２００の第１駆動部２２０と対向して位置することができる。第２駆動部３２０は、第１駆動部２２０との電磁気的相互作用を通じて第１駆動部２２０を移動させることができる。第２駆動部３２０は、マグネットを含むことができる。マグネットは、ハウジング３１０の第２駆動部結合部３１２に固定され得る。第２駆動部３２０は、一例として、図２に示されたように、４つのマグネットが独立して備えられ、隣り合う２つのマグネットが相互間に９０°をなすようにハウジング３１０に配置されてもよい。すなわち、第２駆動部３２０は、ハウジング３１０の４つの側面に等間隔に装着されて、内部体積の効率的な使用を図ることができる。また、第２駆動部３２０は、ハウジング３１０に接着剤によって接着されてもよいが、これに制限されるものではない。一方、第１駆動部２２０がマグネットを含み、第２駆動部３２０がコイルとして備えられてもよい。
【０１２３】
パターンコイル部４００はベース５００に位置することができる。パターンコイル部４００は、第２可動子３００の下側に対向するように位置することができる。パターンコイル部４００は、第２可動子３００を移動可能に支持することができる。パターンコイル部４００は、第２可動子３００を移動させることができる。パターンコイル部４００の中央には、レンズモジュールと対応する貫通孔４２１が位置することができる。本実施例において、パターンコイル部４００に端子部４３０が形成されて外部と直接通電されるので、別途のＦＰＣＢを備えなくてもよい。したがって、本実施例は、ＦＰＣＢとパターンコイルが別途に備えられるモデルと比較して、部品数、工程数、及び工程管理ポイントの縮小によって原価低減効果を期待することができる。また、製品全体の高さが低くなるので、小型化に寄与することができる。
【０１２４】
パターンコイル部４００は、下側に第２センサ部７２０が実装される第１層、及び第１層の上側に積層され、パターンコイル４１０が形成される第２層を含むことができる。このとき、第１層、第２層のそれぞれは単一の導電層を含むことができる。一例として、パターンコイル部４００が第１層及び第２層の２つの層のみで構成される場合には、第２センサ部７２０とパターンコイル４１０が上下方向に重ならないように位置することができる。また、パターンコイル部４００は、第１層と第２層との間に位置する第３層をさらに含むことができる。すなわち、パターンコイル部４００は、３層以上に形成されてもよい。換言すれば、パターンコイル部４００は、３層以上の導電層を含むことができる。この場合、第２センサ部７２０とパターンコイル４１０は上下方向に重なるように位置し得る。
【０１２５】
パターンコイル部４００は、一例として、パターンコイル４１０及びボディー部４２０を含むことができる。パターンコイル部４００は、ボディー部４２０に配置されるパターンコイル４１０を含むことができる。また、パターンコイル部４００は、第２駆動部３２０の下側に対向して位置し、ベース５００に装着されるボディー部４２０を含むことができる。パターンコイル部４００は、パターンコイル４１０と、パターンコイル４１０が形成されたボディー部４２０と、ボディー部４２０から下側に折り曲げられて延びる端子部４３０とを含むことができる。
【０１２６】
パターンコイル４１０は第２駆動部３２０と対向し得る。パターンコイル４１０は、電磁気的相互作用を通じて第２駆動部３２０を移動させることができる。パターンコイル４１０に電源が印加されると、第２駆動部３２０との相互作用によって、第２駆動部３２０と第２駆動部３２０が固定されたハウジング３１０とが一体に動くことができる。パターンコイル４１０は、ボディー部４２０に実装されたり、電気的に接続されたり、またはボディー部４２０に一体に形成されてもよい。パターンコイル４１０は、一例として、ＦＰ（Ｆｉｎｅ  Ｐａｔｔｅｒｎ）コイルとしてボディー部４２０に配置、実装または形成されてもよい。パターンコイル４１０は、一例として、下側に位置する第２センサ部７２０との干渉を最小化するように形成することができる。パターンコイル４１０は、第２センサ部７２０と上下方向に重ならないように形成することができる。第２センサ部７２０は、パターンコイル４１０と上下方向に重ならないようにパターンコイル部４００の下側に実装することができる。また、対向するパターンコイル４１０は互いに非対称であってもよい。
【０１２７】
パターンコイル４１０は、貫通孔４２１の外側に位置する第１〜第４コイル体４１１，４１２，４１３，４１４を含むことができる。第１コイル体４１１と第３コイル体４１３が対向し、第２コイル体４１２と第４コイル体４１４が対向し得る。一方、第１コイル体４１１は、第２コイル体４１２及び第４コイル体４１４と隣接し、第３コイル体４１３は、第４コイル体４１４及び第２コイル体４１２と隣接することができる。すなわち、第１コイル体４１１〜第４コイル体４１４は、時計回り方向または反時計回り方向に連続的に配置することができる。第１コイル体４１１と第２コイル体４１２の形状が対応し、第３コイル体４１３と第４コイル体４１４の形状が対応し得る。ただし、第１コイル体４１１と第３コイル体４１３の形状は対応しなくてもよい。第１コイル体４１１〜第４コイル体４１４の形状の変更を通じて第２センサ部７２０の実装空間を確保することができる。第２センサ部７２０は、第１コイル体４１１〜第４コイル体４１４と上下方向に重ならないように位置し得る。第２センサ部７２０は２つ備えることができ、このとき、２つの第２センサ部７２０のそれぞれと光軸を連結する仮想の線は直交し得る。一方、このように、第１コイル体４１１〜第４コイル体４１４と第２センサ部７２０が上下方向に重ならない場合には、ボディー部４２０を２つの層（導電層）のみで構成できるという利点がある。
【０１２８】
他の実施例として、第１コイル体４１１〜第４コイル体４１４と第２センサ部７２０が上下方向に重なっていてもよい。この場合、ボディー部４２０は３つ以上の層（導電層）を含むことができる。これは、上述した一例のように２つの層で構成される場合、光軸方向に重なる第２センサ部７２０とパターンコイル４１０との間の通電問題が発生し得るためである。
【０１２９】
ボディー部４２０は、ベース５００に装着されてもよい。一方、ボディー部４２０はパターンコイル４１０に電源を供給することができる。また、ボディー部４２０は、第１駆動部２２０又は第２駆動部３２０に電源を供給することができる。一例として、ボディー部４２０は、側方支持部材６３０、上側支持部材６１０、通電部材６４０及び下側支持部材６２０を介して第１駆動部２２０に電源を供給してもよい。または、ボディー部４２０は、側方支持部材６３０及び上側支持部材６１０を介して第１駆動部２２０に電源を供給してもよい。
【０１３０】
ボディー部４２０は、ハウジング３１０が水平方向に移動するか、またはチルト（ｔｉｌｔ）されるように下側で支持することができる。ボディー部４２０は、側方支持部材６３０を介してハウジング３１０と結合できる。ボディー部４２０には、ハウジング３１０の位置又は移動を感知する第２センサ部７２０が位置し得る。ボディー部４２０の上面にはパターンコイル４１０が位置し、下面には第２センサ部７２０が位置し得る。
【０１３１】
ボディー部４２０は、貫通孔４２１を含むことができる。ボディー部４２０は、レンズモジュールを通過した光を通過させる貫通孔４２１を含むことができる。貫通孔４２１は、ボディー部４２０の中心部に形成することができる。貫通孔４２１は円形に形成されてもよいが、これに制限されるものではない。
【０１３２】
ボディー部４２０は、側方支持部材６３０のワイヤが貫通する結合孔４２２、及びボディー部４２０の下面に結合孔４２２に接するように形成される通電部４２３を含むことができる。結合孔４２２はボディー部４２０を貫通して形成され、側方支持部材６３０は結合孔４２２を通過し得る。通電部４２３は、ボディー部４２０の下面に結合孔４２２に接するように形成され、結合孔４２２に結合された側方支持部材６３０と電気的に接続され得る。
【０１３３】
端子部４３０は、導電層４３１，４３２を介して外部電源と接続され、これによって、ボディー部４２０に電源を供給できる。端子部４３０は、ボディー部４２０の側方から延びて形成されてもよい。端子部４３０はボディー部４２０の両側方に位置し得る。ボディー部４２０と端子部４３０は一体に形成することができる。端子部４３０は、ボディー部４２０の幅よりも小さくてもよい。端子部４３０は、ベース５００の側面の一部が内側に陥没して形成される端子収容部５４０に収容されてもよい。端子収容部５４０は、端子部４３０の幅に相応する幅に形成することができる。
【０１３４】
ベース５００は、第２可動子３００を支持することができる。ベース５００の下側には印刷回路基板が位置し得る。ベース５００は、ボビン２１０のレンズ結合部２１１と対応する位置に形成される貫通孔５１０を含むことができる。ベース５００は、イメージセンサを保護するセンサホルダーの機能を行うことができる。一方、ベース５００の貫通孔５１０には赤外線フィルター（Ｉｎｆｒａｒｅｄ  Ｒａｙ  Ｆｉｌｔｅｒ）が結合されていてもよい。または、ベース５００の下部に配置される別途のセンサホルダーに赤外線フィルターが結合されていてもよい。
【０１３５】
ベース５００は、一例として、カバー部材１００の内部に流入した異物を捕集する異物捕集部５２０を含むことができる。異物捕集部５２０は、ベース５００の上面上に位置し、接着性物質を含むことによって、カバー部材１００とベース５００によって形成される内側空間上の異物を捕集することができる。
【０１３６】
ベース５００は、第２センサ部７２０が結合されるセンサ部収容溝５３０を含むことができる。すなわち、第２センサ部７２０は、センサ部収容溝５３０に装着され得る。このとき、第２センサ部７２０は、ハウジング３１０に結合された第２駆動部３２０を感知して、ハウジング３１０の水平方向の動き又はチルトを感知することができる。センサ部収容溝５３０は、一例として、２つ備えることができる。２つのセンサ部収容溝５３０のそれぞれには第２センサ部７２０が位置し得る。この場合、第２センサ部７２０は、ハウジング３１０のｘ軸及びｙ軸方向の動きを全て感知できるように配置することができる。すなわち、２つの第２センサ部７２０のそれぞれと光軸を連結する仮想の線は直交し得る。
【０１３７】
支持部材６００は、第１可動子２００、第２可動子３００、パターンコイル部４００及びベース５００のいずれか２つ以上を連結することができる。支持部材６００は、第１可動子２００、第２可動子３００、パターンコイル部４００及びベース５００のいずれか２つ以上を弾性的に連結し、各構成要素間に相対的な移動が可能なようにすることができる。支持部材６００は、弾性部材として備えられてもよい。支持部材６００は、一例として、上側支持部材６１０、下側支持部材６２０、側方支持部材６３０及び通電部材６４０を含むことができる。ただし、通電部材６４０は、上側支持部材６１０と下側支持部材６２０との通電のために備えるものであって、上側支持部材６１０、下側支持部材６２０及び側方支持部材６３０とは区分して説明できる。
【０１３８】
上側支持部材６１０は、一例として、外側部６１１、内側部６１２、及び連結部６１３を含むことができる。上側支持部材６１０は、ハウジング３１０と結合される外側部６１１、ボビン２１０と結合される内側部６１２、及び外側部６１１と内側部６１２を弾性的に連結する連結部６１３を含むことができる。
【０１３９】
上側支持部材６１０は、第１可動子２００の上部及び第２可動子３００の上部に連結され得る。より詳細に、上側支持部材６１０は、ボビン２１０の上部及びハウジング３１０の上部に結合できる。上側支持部材６１０の内側部６１２はボビン２１０の上側結合部２１３と結合し、上側支持部材６１０の外側部６１１はハウジング３１０の上側結合部３１３と結合し得る。
【０１４０】
上側支持部材６１０は、一例として、６つの上側通電部に分離されて備えられてもよい。このとき、６つの上側通電部のうちの２つの上側通電部は下側支持部材６２０と通電されて、第１駆動部２２０に電源を印加するために使用することができる。２つの上側通電部のそれぞれは、通電部材６４０を介して一対の下側支持部材６２０ａ，６２０ｂのそれぞれと電気的に接続され得る。一方、６つの上側通電部のうちの残りの４つの上側通電部は、ボビン２１０に位置する第１センサ部７１０と通電できる。前記残りの４つの上側通電部は、第１センサ部７１０に電源を供給し、制御部と第１センサ部７１０との間に情報又は信号を送受信するために使用することができる。また、変形例として、６つの上側通電部のうちの２つの上側通電部は第１駆動部２２０に直接接続され、残りの４つの上側通電部は第１センサ部７１０と接続されてもよい。
【０１４１】
下側支持部材６２０は、一例として、一対の下側支持部材６２０ａ，６２０ｂを含むことができる。すなわち、下側支持部材６２０は、第１下側支持部材６２０ａ及び第２下側支持部材６２０ｂを含むことができる。このとき、下側支持部材６２０は、２つの下側通電部を含むものと説明されてもよい。第１下側支持部材６２０ａと第２下側支持部材６２０ｂのそれぞれは、コイルとして備えられる第１駆動部２２０の一対の引き出し線のそれぞれに接続されて電源を供給することができる。一方、一対の下側支持部材６２０ａ，６２０ｂはパターンコイル４１０と電気的に接続され得る。このような構造によって、一対の下側支持部材６２０は、パターンコイル４１０から供給される電源を第１駆動部２２０に提供することができる。
【０１４２】
下側支持部材６２０は、一例として、外側部６２１、内側部６２２、及び連結部６２３を含むことができる。下側支持部材６２０は、ハウジング３１０と結合される外側部６２１、ボビン２１０と結合される内側部６２２、及び外側部６２１と内側部６２２を弾性的に連結する連結部６２３を含むことができる。
【０１４３】
下側支持部材６２０は、第１可動子２００の下部及び第２可動子３００の下部に連結され得る。より詳細に、下側支持部材６２０は、ボビン２１０の下部及びハウジング３１０の下部に結合できる。下側支持部材６２０の内側部６２２にはボビン２１０の下側結合部が結合され、下側支持部材６２０の外側部６２１にはハウジング３１０の下側結合部が結合され得る。
【０１４４】
側方支持部材６３０は、パターンコイル部４００及び／又はベース５００に一側が結合され、上側支持部材６１０及び／又は第２可動子３００に他側が結合されてもよい。側方支持部材６３０は、一例として、パターンコイル部４００に一側が結合され、ハウジング３１０に他側が結合されてもよい。また、他の実施例として、側方支持部材６３０は、ベース５００に一側が結合され、上側支持部材６１０に他側が結合されてもよい。このように、側方支持部材６３０は、第２可動子３００を弾性的に支持して、第２可動子３００がベース５００に対して水平方向に移動するか、またはチルト（ｔｉｌｔ）され得るようにする。
【０１４５】
側方支持部材６３０は、複数のワイヤを含むことができる。また、側方支持部材６３０は、複数の板バネを含むことができる。側方支持部材６３０は、一例として、上側支持部材６１０と同じ個数備えられてもよい。すなわち、側方支持部材６３０は、６つに分離されて備えられ、６つに分離されて備えられる上側支持部材６１０のそれぞれに接続され得る。この場合、側方支持部材６３０は、上側支持部材６１０のそれぞれに、パターンコイル部４００又は外部から供給される電源を供給することができる。側方支持部材６３０は、一例として、対称性を考慮して個数が定められてもよい。側方支持部材６３０は、一例として、ハウジング３１０の角部にそれぞれ２個ずつ８個が備えられてもよい。
【０１４６】
側方支持部材６３０又は上側支持部材６１０は、一例として、衝撃吸収のための衝撃吸収部（図示せず）を含むことができる。衝撃吸収部は、側方支持部材６３０と上側支持部材６１０のいずれか１つ以上に備えられてもよい。衝撃吸収部は、ダンパーのような別途の部材であってもよい。また、衝撃吸収部は、側方支持部材６３０と上側支持部材６１０のいずれか１つ以上の一部に対する形状変更を通じて実現されてもよい。
【０１４７】
通電部材６４０は、上側支持部材６１０と下側支持部材６２０とを電気的に接続することができる。通電部材６４０は、側方支持部材６３０と分離されて備えられてもよい。通電部材６４０を介して上側支持部材６１０に供給された電源が下側支持部材６２０に供給され、下側支持部材６２０を介して第１駆動部２２０に電源が供給され得る。一方、変形例として、上側支持部材６１０が第１駆動部２２０に直接連結される場合には、通電部材６４０が省略されてもよい。
【０１４８】
センサ部７００は、オートフォーカスフィードバック（Ｆｅｅｄｂａｃｋ）及び手振れ補正フィードバックのいずれか１つ以上のために使用することができる。センサ部７００は、第１可動子２００及び第２可動子３００のいずれか１つ以上の位置又は移動を感知することができる。
【０１４９】
センサ部７００は、一例として、第１センサ部７１０及び第２センサ部７２０を含むことができる。第１センサ部７１０は、ハウジング３１０に対するボビン２１０の相対的な上下移動をセンシングして、ＡＦフィードバックのための情報を提供することができる。この場合、第１センサ部７１０は、オートフォーカスフィードバック用センサと呼ぶことができる。第２センサ部７２０は、第２可動子３００の水平方向の動き又はチルトを感知して、ＯＩＳフィードバックのための情報を提供することができる。この場合、第２センサ部７２０は、手振れ補正フィードバック用センサと呼ぶことができる。
【０１５０】
第１センサ部７１０は、第１可動子２００に位置し得る。第１センサ部７１０は、ボビン２１０に位置し得る。第１センサ部７１０は、ボビン２１０の外周面に形成されるセンサガイド溝（図示せず）に挿入されて固定されてもよい。第１センサ部７１０は、一例として、第１センサ７１１、軟性回路基板７１２及び端子部７１３を含むことができる。
【０１５１】
第１センサ７１１は、ボビン２１０の動き又は位置を感知することができる。または、第１センサ７１１は、ハウジング３１０に装着された第２駆動部３２０の位置を感知することができる。第１センサ７１１は、一例として、ホールセンサであってもよい。この場合、第１センサ７１１は、第２駆動部３２０から発生する磁力を感知して、ボビン２１０とハウジング３１０との間の相対的な位置変化を感知することができる。
【０１５２】
軟性回路基板７１２には第１センサ７１１が実装されてもよい。軟性回路基板７１２は、一例として、帯状に備えることができる。軟性回路基板７１２の少なくとも一部は、ボビン２１０の上部に陥没形成されるセンサガイド溝に対応する形状に備えられ、センサガイド溝に挿入されてもよい。軟性回路基板７１２は、一例として、ＦＰＣＢであってもよい。すなわち、軟性回路基板７１２は、軟性を有することによって、センサガイド溝の形状に対応するように曲げることができる。軟性回路基板７１２には端子部７１３が形成されてもよい。
【０１５３】
端子部７１３は、電源の供給を受け、軟性回路基板７１２を介して第１センサ７１１に電源を供給することができる。また、端子部７１３は、第１センサ７１１に対する制御命令を受信するか、または第１センサ７１１からセンシングされた値を送信することができる。端子部７１３は、一例として、４つ備えられ、上側支持部材６１０と電気的に接続され得る。この場合、２つの端子部７１３は、上側支持部材６１０から電源の供給を受けるために使用され、残りの２つの端子部７１３は、情報又は信号を送受信するために使用されてもよい。
【０１５４】
第２センサ部７２０は、パターンコイル部４００に位置し得る。第２センサ部７２０は、パターンコイル４１０の上面又は下面に位置してもよい。第２センサ部７２０は、一例として、パターンコイル４１０の下面に配置され、ベース５００に形成されるセンサ部収容溝５３０に位置し得る。第２センサ部７２０は、一例として、ホールセンサを含むことができる。この場合、第２駆動部３２０の磁場をセンシングして、パターンコイル部４００に対する第２可動子３００の相対的な動きをセンシングすることができる。ホールセンサは、表面実装技術（ＳＭＴ、Ｓｕｒｆａｃｅ  Ｍｏｕｎｔｉｎｇ  Ｔｅｃｈｎｏｌｏｇｙ）を通じてボディー部４２０に実装することができる。第２センサ部７２０は、一例として、２つ以上備えられ、第２可動子３００のｘ軸、ｙ軸の動きを全て感知することができる。
【０１５５】
第２センサ部７２０は、一例として、パターンコイル４１０と光軸方向に重ならないように位置し得る。第２センサ部７２０とパターンコイル４１０は、図５に示したように、それらの間に水平方向に隔離距離Ｄを有するように位置し得る。このとき、ボディー部４２０は２つの層で構成されてもよい。
【０１５６】
第２センサ部７２０は、変形例として、パターンコイル４１０と光軸方向に重なるように位置し得る。この場合、パターンコイル４１０と第２センサ部７２０との通電を避けるために、ボディー部４２０が３つ以上の層で構成されてもよい。
【０１５７】
以下では、本実施例に係るカメラモジュールの作動を説明する。
【０１５８】
まず、本実施例に係るカメラモジュールのオートフォーカス機能を説明する。第１駆動部２２０のコイルに電源が供給されると、第１駆動部２２０と第２駆動部３２０のマグネットとの間の電磁気的相互作用によって、第１駆動部２２０が第２駆動部３２０に対して移動を行うようになる。このとき、第１駆動部２２０が結合されたボビン２１０は、第１駆動部２２０と一体に移動するようになる。すなわち、レンズモジュールが内側に結合されたボビン２１０が、ハウジング３１０に対して上下方向に移動する。ボビン２１０のこのような移動は、イメージセンサに対してレンズモジュールが近づくように又は遠ざかるように移動する結果となるため、本実施例では、第１駆動部２２０のコイルに電源を供給することによって、被写体に対するフォーカス調節を行うことができる。
【０１５９】
一方、本実施例に係るカメラモジュールのオートフォーカス機能のより精密な実現のためにオートフォーカスフィードバックが適用されてもよい。ボビン２１０に装着され、ホールセンサとして備えられる第１センサ７１１は、ハウジング３１０に固定された第２駆動部３２０のマグネットの磁場を感知する。一方、ボビン２１０がハウジング３１０に対して相対的な移動を行うと、第１センサ７１１で感知される磁場の量が変化する。第１センサ７１１は、このような方式でボビン２１０のｚ軸方向の移動量又は位置を感知し、感知値を制御部に送信する。制御部は、受信した感知値に基づいて、ボビン２１０に対する追加的な移動を行うか否かを決定する。このような過程はリアルタイムで発生するので、オートフォーカスフィードバックを通じて、本実施例に係るカメラモジュールのオートフォーカス機能をより精密に行うことができる。
【０１６０】
本実施例に係るカメラモジュールの手振れ補正機能を説明する。パターンコイル部４００のパターンコイル４１０に電源が供給されると、パターンコイル４１０と第２駆動部３２０のマグネットとの電磁気的相互作用によって、第２駆動部３２０がパターンコイル部４００に対して移動を行うようになる。このとき、第２駆動部３２０が結合されたハウジング３１０は、第２駆動部３２０と一体に移動するようになる。すなわち、ハウジング３１０がベース５００に対して水平方向に移動する。一方、このとき、ハウジング３１０が、ベース５００に対してチルト（ｔｉｌｔ）が誘導されることもできる。ハウジング３１０のこのような移動は、イメージセンサに対してレンズモジュールが、イメージセンサが置かれている方向と平行な方向に移動する結果となるため、本実施例では、パターンコイル４１０に電源を供給することによって、手振れ補正機能を行うことができる。
【０１６１】
一方、本実施例に係るカメラモジュールの手振れ補正機能のより精密な実現のために手振れ補正フィードバックが適用されてもよい。パターンコイル部４００に実装され、ホールセンサとして備えられる一対の第２センサ部７２０は、ハウジング３１０に固定された第２駆動部３２０のマグネットの磁場を感知する。一方、ハウジング３１０がベース５００に対する相対的な移動を行うと、第２センサ部７２０で感知される磁場の量が変化する。一対の第２センサ部７２０は、このような方式でハウジング３１０の水平方向（ｘ軸及びｙ軸方向）の移動量又は位置を感知し、感知値を制御部に送信する。制御部は、受信した感知値に基づいて、ハウジング３１０に対する追加的な移動を行うか否かを決定する。このような過程はリアルタイムで発生するので、手振れ補正フィードバックを通じて、本実施例に係るカメラモジュールの手振れ補正機能をより精密に行うことができる。
【０１６２】
図７は、一実施例に係るベース２１００、印刷回路基板２５００、第２コイル２３００を示した分解斜視図である。レンズ駆動装置は位置感知センサ２４００をさらに含むことができる。
【０１６３】
位置感知センサ２４００は、前記第２コイル２３００の中心に配置され、前記ハウジング１４００の動きを感知することができる。このとき、位置感知センサ２４００は、基本的にハウジング１４００の第１方向の動きを感知し、場合によって、ハウジング１４００の第２及び第３方向の動きを感知できるように備えられてもよい。
【０１６４】
位置感知センサ２４００は、ホールセンサなどとして設けられてもよく、その他に磁力の変化を感知できるセンサであれば、いかなるものでも使用可能である。位置感知センサ２４００は、図７に示されたように、前記印刷回路基板２５００の下側に配置されるベース２１００の角部に計２個設置されてもよく、実装された位置感知センサ２４００は、ベース２１００に形成された位置感知センサ装着溝２１５０に挿入配置されてもよい。前記印刷回路基板２５００の下面は、前記第２コイル２３００が配置された面の反対面であり得る。
【０１６５】
一方、前記位置感知センサ２４００は、前記印刷回路基板２５００を介在して前記第２コイル２３００の下側に一定距離離隔して配置されてもよい。すなわち、位置感知センサ２４００は、第２コイル２３００と直接接続されるものではなく、前記印刷回路基板２５００を基準として上部面には第２コイル２３００が、下部面には位置感知センサ２４００が設置され得る。
【０１６６】
一方、前述した実施例によるレンズ駆動装置は、様々な分野、例えば、カメラモジュールに用いることができる。例えば、カメラモジュールは、携帯電話などのモバイル機器などに適用可能である。
【０１６７】
実施例によるカメラモジュールは、ボビンと結合されるレンズバレル、イメージセンサ（図示せず）を含むことができる。このとき、レンズバレルは、イメージセンサに画像を伝達する少なくとも一枚のレンズを含むことができる。
【０１６８】
また、カメラモジュールは、赤外線遮断フィルタ（図示せず）をさらに含むことができる。赤外線遮断フィルタは、イメージセンサに赤外線領域の光が入射することを遮断する役割を果たす。
【０１６９】
この場合、図９に例示されたベース２１００において、イメージセンサと対応する位置に赤外線遮断フィルタを設置することができ、ホルダー部材（図示せず）と結合され得る。また、ホルダー部材は、ベース２１００の下側を支持することができる。
【０１７０】
ベース２１００には、印刷回路基板２５００との通電のために別途のターミナル部材が設置されてもよく、表面電極などを用いてターミナルを一体に形成することも可能である。
【０１７１】
また、印刷回路基板２５００をベース２１００に接着するための接着部材２１１０をさらに含むことができる。
【０１７２】
接着部材２１１０は、ベース２１００の一側面に備えることができ、図示のように、ベース２１００の一側面と印刷回路基板２５００の一側面とが面接触する位置に備えることができる。
【０１７３】
本実施例では、接着部材２１１０がベース２１００の一面に備えられたものと示したが、接着部材２１１０が備えられた面と対向する面に接着部材２１１０がさらに備えられてもよい。
【０１７４】
本実施例に示された接着部材２１１０は、一実施例を示したものであり、ベース２１００に印刷回路基板２５００を接着できるものであれば足り、接着部材２１１０が備えられる位置及び個数は、本発明の技術的範囲を制限しない。
【０１７５】
ベース２１００は、スプリングユニット（図示せず）のための装着溝２１４０に段差部をさらに含むことができる。
【０１７６】
ベース２１００と印刷回路基板２５００を互いに接着するために接着部材２１１０をベース２１００の一面に備えることができ、接着部材２１１０の量が少ないと、ベース２１００と印刷回路基板２５００との接着力が低下してしまい、ベース２１００から印刷回路基板２５００が浮き上がる現象が発生することがあり、接着部材２１１０の量が多いと、接着部材２１１０が装着溝２１４０に侵入してしまい、装着溝２１４０にスプリングユニット（図示せず）を正確に結合することが難しいという問題が発生する。
【０１７７】
したがって、ベース２１００の装着溝２１４０に段差部をさらに備えることによって、接着部材２１１０が装着溝２１４０に侵入することを防止することができる。
【０１７８】
段差部は、段差部の側面を形成する少なくとも１つ以上の側面部２１４３、段差部の下部面を形成する下部面部２１４２、及び側面部２１４３と下部面部２１４２によって形成されて接着部材２１１０を収容する段差空間２１４１を含むことができる。
【０１７９】
段差空間２１４１の下部面部２１４２の断面は、平面形状に備えることができる。
【０１８０】
また、段差空間２１４１の下部面部２１４２の断面は、下部面部２１４２と垂直な第１方向に向かって凸状に備えられてもよい。
【０１８１】
段差空間２１４１の下部面部２１４２の断面が下部面部２１４２と垂直な第１方向に向かって凸状に備えられることによって、接着部材２１１０が下部面部２１４２の両側面に向かって集まるため、接着部材２１１０が装着溝２１４０に流入することをより効果的に防止できるという効果がある。
【０１８２】
また、段差空間２１４１の下部面部２１４２の断面は、下部面部２１４２と垂直な第１方向に向かって凹状に備えられてもよい。
【０１８３】
段差空間２１４１の下部面部２１４２の断面が下部面部２１４２と垂直な第１方向に向かって凹状に備えられることによって、接着部材２１１０が下部面部２１４２の中央に向かって集まるため、接着部材２１１０が装着溝２１４０に流入することをより効果的に防止できるという効果がある。
【０１８４】
また、段差空間２１４１の下部面部２１４２の断面は、サイン波（Ｓｉｎｕｓｏｉｄａｌ）の形状に備えられてもよい。
【０１８５】
段差空間２１４１の下部面部２１４２の断面がサイン波（Ｓｉｎｕｓｏｉｄａｌ）の形状に備えられることによって、接着部材２１１０が下部面部２１４２に形成される複数個の凹部に集まるため、接着部材２１１０が装着溝２１４０に流入することをより効果的に防止できるという効果がある。
【０１８６】
また、本実施例では、段差部が１つ備えられるものと示したが、段差部は複数個備えられてもよい。
【０１８７】
段差部が複数個備えられることによって、２重又は３重以上に接着部材２１１０を収容できる空間が設けられるため、接着部材２１１０が装着溝２１４０に流入することをより効果的に防止できるという効果がある。
【０１８８】
複数個の突出部材が、下部面部２１４２から上部に向かって所定高さだけ突出するように備えることができる。
【０１８９】
下部面部２１４２に複数個の突出部材を備えることによって、段差部に流入した接着部材２１１０が流動する際に抵抗を高めるため、段差部に流入した接着部材２１１０が装着溝２１４０に流入することをより効率的に防止することができる。
【０１９０】
複数個の突出部材は半球形状であってもよいが、これは一実施例に過ぎず、突出部材２１４４は、円錐形状又は多角形状に備えられてもよい。
【０１９１】
一方、ベース２１００は、イメージセンサを保護するセンサホルダーの機能を行うことができ、この場合、ベース２１００の側面に沿って下側方向に突出部が形成されてもよい。しかし、これは必須の構成ではなく、図示していないが、別途のセンサホルダーがベース２１００の下部に配置されることによってその役割を行うように構成してもよい。
【０１９２】
図８は、一実施例に係る印刷回路基板の上部面を示し、図９は、一実施例に係る印刷回路基板の下部面を示したものである。
【０１９３】
図８及び図９を参照すると、実施例の印刷回路基板２５００は、ボビンを収容するために中空状に備えられる第１印刷回路基板部２５００ａ、第１印刷回路基板部２５００ａの少なくとも一側に向かって延びるように備えられ、曲げ（Ｂｅｎｄｉｎｇ）可能なように備えられる第２印刷回路基板部２５００ｂ、及び第２印刷回路基板部２５００ｂの少なくとも一側に向かって延びるように備えられ、印刷回路基板２５００を制御部（図示せず）と電気的に連通させる端子２５１０を含む第３印刷回路基板部２５００ｃを含むことができる。
【０１９４】
第１印刷回路基板部２５００ａは、中心が円周（Ｃ）である中空状に備えることができる。
【０１９５】
また、第１印刷回路基板部２５００ａは、内周面から半径方向外側に向かって凹状に形成される少なくとも１つ以上の突出中空部２５３０を含む中空状に備えることができる。
【０１９６】
前記突出中空部２５３０は、前記第１印刷回路基板部２５００ａの内周面に溝を形成するように備えることができる。
【０１９７】
実施例のレンズ駆動装置は、ベース２１００の上部面に印刷回路基板２５００を備え、前記印刷回路基板２５００の上部面に回路部材２３１０を備えることができる。
【０１９８】
換言すれば、実施例のレンズ駆動装置は、下部からベース２１００、印刷回路基板２５００及び回路部材２３１０の順に積層されるように備えることができ、第１印刷回路基板部２５００ａに前記複数個の突出中空部２５３０が備えられない場合、回路部材２３１０は印刷回路基板２５００と面接触するように備えることができる。
【０１９９】
回路部材２３１０が印刷回路基板２５００と面接触し、印刷回路基板２５００がベース２１００と面接触するように備えることによって、ベース２１００の上部面に備えられる所定の突出部材（図示せず）が回路部材２３１０と直接接触せず、印刷回路基板２５００と接触するように備えることができる。
【０２００】
前記構造によれば、印刷回路基板２５００の厚さによって、ベース２１００の下部面から回路部材２３１０の一面までの高さが変動し得るため、レンズ駆動装置の品質を一定に維持することが難しいという問題があった。
【０２０１】
しかし、第１印刷回路基板部２５００ａに複数個の突出中空部２５３０を備えることによって、前述したベース２１００の上部面に備えられる突出部材（図示せず）が突出中空部２５３０を貫通して回路部材２３１０と直接接触するように備えることができる。
【０２０２】
これによって、ベース２１００の下部面から回路部材２３１０の一面までの高さを一定に維持できるという効果がある。
【０２０３】
図示のように、前記突出中空部２５３０は、第１印刷回路基板部２５００ａの中心を原点とする座標系において、第１象限に２個、第２象限に２個、第３象限に２個及び第４象限に２個備えられ、計８個備えることができる。
【０２０４】
ただし、これは一実施例を示したものであり、突出中空部２５３０の形状、配置位置及び配置個数は、ベース２１００の形状に応じて使用者によって様々に変形可能であり、これは本発明の技術的範囲を制限しない。
【０２０５】
第１印刷回路基板部２５００ａは、中心から第１対角長Ｘ１を有するように備えることができる。
【０２０６】
また、第１印刷回路基板部２５００ａは、中心から第１対角長Ｘ１と交差する第２対角長Ｘ２を有するように備えることができる。
【０２０７】
前記第１対角長Ｘ１と第２対角長Ｘ２は互いに同一であってもよい。
【０２０８】
反面、前記第１対角長Ｘ１と第２対角長Ｘ２は互いに異なっていてもよい。
【０２０９】
また、第１対角長Ｘ１と第２対角長Ｘ２は互いに直交するように備えられてもよく、第１対角長Ｘ１と第２対角長Ｘ２は直交しないように備えられてもよい。
【０２１０】
回路基板部２５００の一面に回路部材２３１０が積層されるように備えることができ、回路基板部２５００の第１対角長Ｘ１は回路部材２３１０の第１対角長Ｘ１と同一に備えることができる。
【０２１１】
また、回路基板部２５００の第２対角長Ｘ２は回路部材２３１０の第２対角長Ｘ２と同一に備えることができる。
【０２１２】
また、回路基板部２５００の第１対角長Ｘ１は回路部材２３１０の第１対角長Ｘ１と同一に備えると同時に、回路基板部２５００の第２対角長Ｘ２もまた回路部材２３１０の第２対角長Ｘ２と同一に備えることができる。
【０２１３】
回路基板部２５００の第１対角長Ｘ１または第２対角長Ｘ２のうちの少なくとも１つが回路部材２３１０の第１対角長Ｘ１または第２対角長Ｘ２と同一に備えられることによって、回路基板部２５００の一面に回路部材２３１０が積層される場合に回路基板部２５００又は回路部材２３１０が歪むことを防止して、カメラモジュールの品質を向上させる効果がある。
【０２１４】
第２印刷回路基板部２５００ｂは、第１印刷回路基板部２５００ａの一面から延びるように備えることができ、より詳細には、第１印刷回路基板部２５００ａの互いに対向する面から互いに反対方向に向かって延びるように備えることができる。
【０２１５】
第２印刷回路基板部２５００ｂは、第１印刷回路基板部２５００ａ及び第２印刷回路基板部２５００ｂから延びるように備えられる後述する第３印刷回路基板部２５００ｃが制御部（図示せず）と電気的に連通するようにするために、曲げ（Ｂｅｎｄｉｎｇ）可能に備えることができる。
【０２１６】
したがって、第２印刷回路基板部２５００ｂは、軟性基板（ＦＰＣＢ、Ｆｌｅｘｉｂｌｅ  Ｐｒｉｎｔｅｄ  Ｃｉｒｃｕｉｔ  Ｂｏａｒｄ）として備えられてもよい。
【０２１７】
第１印刷回路基板部２５００ａ、第２印刷回路基板部２５００ｂ及び第３印刷回路基板部２５００ｃは一体に形成することができる。
【０２１８】
したがって、第２印刷回路基板部２５００ｂだけでなく、第１印刷回路基板部２５００ａ及び第３印刷回路基板部２５００ｃもまた軟性基板として備えることができる。
【０２１９】
第２印刷回路基板部２５００ｂ及び第３印刷回路基板部２５００ｃは、使用者の手振れを防止するために、光軸に対して平行な第１方向に垂直な第２及び第３方向に移動する光学モジュールに弾性力を提供する手振れ防止弾性部材（図示せず）が配置されるための収容空間を提供する少なくとも１つ以上の弾性部材開口部２５４０を備えることができる。
【０２２０】
前記弾性部材開口部２５４０は、計４個備えることができ、これは一例を示したものであり、弾性部材開口部２５４０の個数は、レンズ駆動装置に必要な手振れ防止弾性部材（図示せず）の個数によって変わり得、形状及び大きさもまた、使用者の必要に応じて変形可能であり、これは本発明の技術的範囲を制限しない。
【０２２１】
第３印刷回路基板部２５００ｃは、制御部（図示せず）と電気的に接続されるように備えられる少なくとも１つ以上の端子２５１０、及び第３印刷回路基板部２５００ｃ及び前記少なくとも１つ以上の端子２５１０の一部を覆うように備えられるコーティング部材２５２０を含むことができる。
【０２２２】
前記端子２５１０及びコーティング部材２５２０については、図１０及び図１１を参照して詳細に説明する。
【０２２３】
図１０は、一実施例に係る第３印刷回路基板部２５００ｃを詳細に示したものである。
【０２２４】
図１０を参照すると、第３印刷回路基板部２５００ｃは、一面に少なくとも１つ以上の端子２５１０を含むことができ、前記端子２５１０は、第３印刷回路基板部２５００ｃから第１長さだけ突出するように備えることができる。
【０２２５】
より詳細には、第１長さは４００μｍ以上であってもよい。
【０２２６】
印刷回路基板部２５００の一部と制御部（図示せず）とが互いに電気的に接続されるために接触する場合、端子２５１０にクラック（Ｃｒａｃｋ）が発生する問題があったが、端子２５１０が第３印刷回路基板部２５００ｃから４００μｍ以上突出して備えられることによって、端子２５１０にクラックが発生することを防止して、カメラモジュールの信頼性及び品質を向上させる効果がある。
【０２２７】
前記複数個の端子２５１０は、横の長さがＷであり、高さがＨであり得、実施例の複数個の端子２５１０は、同一の横の長さ及び高さを有するように備えられてもよく、互いに異なる横の長さ及び高さを有するように備えられてもよい。
【０２２８】
端子２５１０は、第３印刷回路基板部２５００ｃの両端に配置される第１端子Ａ、及び前記第１端子Ａの間に配置される第２端子Ｂを含むことができる。
【０２２９】
前記複数個の端子２５１０は、互いに第２長さｄだけ離隔して第３印刷回路基板部２５００ｃ上に配置されてもよい。
【０２３０】
端子２５１０の一部分及び前記複数個の端子２５１０が第２長さｄだけ離隔した部分にはコーティング部材２５２０を配置することができる。
【０２３１】
端子２５１０の一部分及び前記複数個の端子２５１０が離隔した部分にコーティング部材２５２０を配置することによって、第３印刷回路基板部２５００ｃの下部面から所定高さだけ厚さが厚くなり得る。
【０２３２】
したがって、印刷回路基板部２５００が組み立てられる場合に組立公差を最小化するようになり、これによって、接触（Ｃｏｎｔａｃｔ）不良による品質低下を防止できるという効果がある。
【０２３３】
また、第２長さｄは０．０１μｍであってもよい。
【０２３４】
前記複数個の端子２５１０の間の距離が０．０１μｍに備えられることによって、コーティング部材２５２０が少なくとも２つの端子２５１０上に塗布されるため、印刷回路基板部２５００が組み立てられる場合に端子２５１０の一部分が印刷回路基板部２５００から離脱することを防止するという効果がある。
【０２３５】
前記コーティング部材２５２０は、ＰＳＲ（Ｐｈｏｔｏ  Ｓｏｌｄｅｒ  Ｒｅｓｉｓｔ）またはカバーレイ（Ｃｏｖｅｒｌａｙ）として備えられてもよい。
【０２３６】
ＰＳＲは、一般的に、回路基板に部品を実装した後にソルダリング（Ｓｏｌｄｅｒｉｎｇ）するときに、鉛のブリッジ発生を防止し、露出された回路の酸化を防止するために塗布される物質である。
【０２３７】
図１１は、一実施例に係る第３印刷回路基板部２５００ｃに配置される第１端子Ａ、及び第３印刷回路基板部２５００ｃに配置される第２端子Ｂを示したものである。
【０２３８】
以下、図１１を参照して、第１端子Ａ及び第２端子Ｂに配置されるコーティング部材２５２０を説明する。
【０２３９】
前述したように、第１端子Ａは、第３印刷回路基板部２５００ｃの両端に配置され、第２端子Ｂは、前記第１端子Ａの間に所定間隔離隔して配置されてもよい。
【０２４０】
前記第１端子Ａ上に配置されるコーティング部材２５２０は、第１端子Ａの一端にのみ塗布されてもよい。
【０２４１】
より詳細には、第１端子Ａの横の長さがＷであり、前記コーティング部材２５２０は、第１端子Ａの先端から第３長さＯ１だけ侵入して配置され得る。
【０２４２】
すなわち、第１端子Ａの全体の面積がＨ１×Ｗである場合、コーティング部材２５２０が配置される面積はＯ１×Ｈ１であり、コーティング部材２５２０が配置されない面積は（Ｗ−Ｏ１）×Ｈ１であり得る。
【０２４３】
前記第２端子Ｂ上に配置されるコーティング部材２５２０は、第２端子Ｂの両端に塗布されてもよい。
【０２４４】
より詳細には、第２端子Ｂの横の長さがＷであり、前記コーティング部材２５２０は、第２端子Ｂの両端から第３長さＯ１だけ侵入して配置され得る。
【０２４５】
すなわち、第２端子Ｂの全体の面積がＨ１×Ｗである場合、コーティング部材２５２０が配置される面積は２×（Ｏ１×Ｈ１）であり、コーティング部材２５２が配置されない面積は（Ｗ−２×Ｏ１）×Ｈ１であり得る。
【０２４６】
また、前記コーティング部材２５２０は、前記端子２５１０の上部面の一部分に配置されてもよい。
【０２４７】
また、前記コーティング部材２５２０は、前記端子２５１０の両側面の一部分及び前記端子２５１０の上部面の一部分に配置されてもよい。
【０２４８】
ただし、これは一実施例を示したものであり、コーティング部材２５２０が隣り合う２つの端子２５１０に共に塗布されることで、端子２５１０の一部が第３印刷回路基板２５００ｃから離脱することを防止することができれば足り、コーティング部材２５２０が塗布される位置、面積などは、使用者の必要に応じて変形可能であり、これは本発明の技術的範囲を制限しない。
【０２４９】
図１２は、一実施例に係る第２コイルを含む回路部材及び印刷回路基板の分解図を示したものである。
【０２５０】
図１２を参照すると、実施例の回路部材２３１０と印刷回路基板２５００は一体に備えることができる。
【０２５１】
より詳細には、回路部材２３１０は、上部に配置される第１回路部材２３１１、前記第１回路部材２３１１の下部に配置される第２回路部材２３１２、第２回路部材２３１２の下部に配置される第３回路部材２３１３、及び第３回路部材２３１３の下部に配置される第４回路部材２３１４を含むことができる。
【０２５２】
印刷回路基板２５００は、前記第２回路部材２３１２の下部に配置される第１回路基板２５１１、及び前記第１回路基板２５１１の下部に配置される第２回路基板２５１３を含むことができる。
【０２５３】
第１〜第４回路部材２３１１，２３１２，２３１３，２３１４は、第１マグネットとの電磁気的相互作用を通じて前記第２及び／又は第３方向にハウジングを動かして手振れ補正を行う第２回路部材コイル２３０１，２３０２，２３０３，２３０４を含むことができる。
【０２５４】
第１回路基板２５１１及び第２回路基板２５１３もまた、第１マグネットとの電磁気的相互作用を通じて前記第２及び／又は第３方向にハウジングを動かして手振れ補正を行う第２回路基板コイル２５０１，２５０４を含むことができる。
【０２５５】
第１〜第４回路部材２３１１，２３１２，２３１３，２３１４に巻線される第２回路部材コイル２３０１，２３０２，２３０３，２３０４は、それぞれ５ターン（Ｔｕｒｎ）以上巻線されるように備えられてもよい。
【０２５６】
図１２には、第４回路部材２３１４に第２回路部材コイル２３０４が巻線されるものと示したが、第４回路部材２３１４に第２回路部材コイル２３０４が巻線されず、前記第２回路部材コイル２３０４の位置に対応する部分に位置センサ（図示せず）が実装されるように備えられてもよい。
【０２５７】
ただし、これは、前記第４回路部材２３１４に限定されるものではなく、前記回路部材２３１０及び前記印刷回路基板２５００のうち少なくとも１つの基板は、第２回路部材コイル２３０１，２３０２，２３０３，２３０４及び／又は第２回路基板コイル２５０１，２５０４が形成されず、前記第２回路部材コイル２３０１，２３０２，２３０３，２３０４及び／又は第２回路基板コイル２５０１，２５０４の位置に対応する部分に位置センサ（図示せず）が実装されるように備えられてもよい。
【０２５８】
第１回路基板２５１１及び第２回路基板２５１３に巻線される第２回路基板コイル２５０１，２５０４は、それぞれ５ターン（Ｔｕｒｎ）以上巻線されるように備えられてもよい。
【０２５９】
換言すれば、実施例の回路部材２３１０及び印刷回路基板２５００は、制御部（図示せず）と電気的に接続させる少なくとも１つ以上のパターン部を含む第１回路基板部２５１１，２５１３、前記第１回路基板部２５１１，２５１３の上部に配置される第２回路基板部２３１１，２３１２、及び前記第１回路基板部２５１１，２５１３の下部に配置される第３回路基板部２３１３，２３１４を含むことができる。
【０２６０】
前記第１回路基板部２５１１，２５１３、第２回路基板部２３１１，２３１２及び第３回路基板部２３１３，２３１４は、前記第２コイル２３０１，２３０２，２５０１，２５０４，２３０３，２３０４を含むように備えることができる。
【０２６１】
また、前記回路部材２３１０及び印刷回路基板２５００と前記第２コイル２３０１，２３０２，２５０１，２５０４，２３０３，２３０４とは一体に形成されるように備えることができる。ただし、前述した第１〜第４回路部材２３１１，２３１２，２３１３，２３１４、第１回路基板２５１１及び第２回路基板２５１３に巻線される第２回路部材コイル２３０１，２３０２，２３０３，２３０４及び第２回路基板コイル２５０１，２５０４の巻線回数は、一例を説明したものであり、使用者の必要に応じて第２回路部材コイル２３０１，２３０２，２３０３，２３０４及び第２回路基板コイル２５０１，２５０４の巻線回数は変形可能であり、これは本発明の技術的範囲を制限しない。
【０２６２】
前述したレンズ駆動装置の構成について換言すれば、実施例のレンズ駆動装置は回路部材２３１０及び印刷回路基板２５００を含むことができ、前記回路部材２３１０及び印刷回路基板２５００は、制御部と電気的に接続させる少なくとも１つ以上のパターン部を含む第１回路基板部２５１１，２５１３、前記第１回路基板部２５１１，２５１３の上部に配置される第２回路基板部２３１１，２３１２、及び前記第１回路基板部２５１１，２５１３の下部に配置される第３回路基板部２３１３，２３１４を含むことができる。
【０２６３】
前記第１回路基板部２５１１，２５１３、第２回路基板部２３１１，２３１２及び第３回路基板部２３１３，２３１４は、第１マグネットとの電磁気的相互作用を通じて前記第２及び／又は第３方向にハウジングを動かして手振れ補正を行う第２コイル２３０１，２３０２，２３０３，２３０４，２５０１，２５０４を含むことができる。
【０２６４】
前記第１回路基板部２５１１，２５１３、第２回路基板部２３１１，２３１２及び第３回路基板部２３１３，２３１４に巻線される第２コイル２３０１，２３０２，２３０３，２３０４，２５０１，２５０４は、それぞれ５ターン（Ｔｕｒｎ）以上巻線されるように備えられてもよい。
【０２６５】
前記第１回路基板部２５１１，２５１３、第２回路基板部２３１１，２３１２及び第３回路基板部２３１３，２３１４は、複数の回路基板を含むように備えられてもよい。
【０２６６】
より詳細には、前記第２回路基板部２３１１，２３１２は、第１回路基板２３１１及び第２回路基板２３１２を含むように備えることができる。
【０２６７】
前記第１回路基板部２５１１，２５１３は、第３回路基板２５１１及び第４回路基板２５１３を含むように備えることができる。
【０２６８】
前記第３回路基板部２３１３，２３１４は、第５回路基板２３１３及び第６回路基板２３１４を含むように備えることができる。
【０２６９】
図１２には、第６回路基板２３１４に第２コイル２３０４が巻線されるものと示したが、第６回路基板２３１４に第２コイル２３０４が巻線されず、前記第２コイル２３０４の位置に対応する部分に位置センサ（図示せず）が実装されるように備えられてもよい。
【０２７０】
ただし、これは、前記第６回路基板２３１４に限定されるものではなく、第１回路基板〜第６回路基板２３１１，２３１２，２５１１，２５１３，２３１３，２３１４のうち少なくとも１つの基板は、第２コイル２３０１，２３０２，２３０３，２３０４，２５０１，２５０４が巻線されず、前記第２コイル２３０１，２３０２，２３０３，２３０４，２５０１，２５０４の位置に対応する部分に位置センサ（図示せず）が実装されるように備えられてもよい。上述したように、前記第１回路基板〜第６回路基板２３１１，２３１２，２５１１，２５１３，２３１３，２３１４に巻線される第２コイル２３０１，２３０２，２３０３，２３０４，２５０１，２５０４の巻線数は、一例を説明したものであり、使用者の必要に応じて様々に変形可能であり、本発明の技術的範囲を制限しない。
【０２７１】
図８及び図１３などに示されたレンズ駆動装置は、印刷回路基板２５００と回路部材２３１０とが一体に形成されたものではなく、印刷回路基板２５００の上部面に回路部材２３１０を組み立てる実施例を示している。
【０２７２】
印刷回路基板２５００と回路部材２３１０とが一体に形成されず、印刷回路基板２５００の一面に回路部材２３１０が組み立てられるように備えられる場合、前述したように、回路部材２３１０が印刷回路基板２５００上に組み立てられる過程でチルト（Ｔｉｌｔｉｎｇ）されてしまい、カメラモジュールの品質が低下するという問題が発生することがある。
【０２７３】
また、回路部材２３１０が印刷回路基板２５００上に組み立てられる過程で外部の異物が侵入してしまい、カメラモジュールの品質が低下するという問題が発生することがある。
【０２７４】
したがって、図１２乃至図１４に示された実施例のレンズ駆動装置は、前記問題を解決するために、印刷回路基板２５００と回路部材２３１０とが一体に形成されることを特徴とするレンズ駆動装置を提示する。
【０２７５】
実施例の回路部材２３１０と印刷回路基板２５００とが一体に形成されることによって、前述したように、回路部材２３１０を印刷回路基板２５００上に組み立てる工程を省略できるので、生産性が増大する効果がある。
【０２７６】
また、実施例の回路部材２３１０と印刷回路基板２５００とが一体に形成されることによって、前述したように、回路部材２３１０を印刷回路基板２５００上に組み立てる工程が存在しないため、回路部材２３１０がチルトされてカメラモジュールの品質が低下することを防止する効果がある。
【０２７７】
さらに、実施例の回路部材２３１０と印刷回路基板２５００とが一体に形成されることによって、回路部材２３１０と印刷回路基板２５００との間に異物が侵入することを防止し、カメラモジュールの品質を向上させる効果がある。
【０２７８】
図１３は、一実施例に係る第１回路基板を示したものである。
【０２７９】
図１３を参照すると、実施例の第１回路基板２５１１は、ボビンを収容するために中空状に備えられる第１−１印刷回路基板部２５１１ａ、第１−１印刷回路基板部２５１１ａの少なくとも一側に向かって延びるように備えられ、曲げ（Ｂｅｎｄｉｎｇ）可能なように備えられる第１−２印刷回路基板部２５１１ｂ、及び第１−２印刷回路基板部２５１１ｂの少なくとも一側に向かって延びるように備えられ、印刷回路基板２５０とベース２１０とを電気的に連通させるパターン２５０２を含む第１−３印刷回路基板部２５１１ｃを含むことができる。
【０２８０】
第１−１印刷回路基板部２５１１ａは、中心が円周（Ｃ）である中空状に備えることができる。
【０２８１】
第１−２印刷回路基板部２５１１ｂは、第１−１印刷回路基板部２５１１ａの一面から延びるように備えることができ、より詳細には、第１−１印刷回路基板部２５１１ａの互いに対向する面から互いに反対方向に向かって延びるように備えることができる。
【０２８２】
第１−２印刷回路基板部２５１１ｂは、第１−１印刷回路基板部２５１１ａ及び第１−２印刷回路基板部２５００ｂから延びるように備えられる後述する第１−３印刷回路基板部２５１１ｃがベース２１０と電気的に連通するようにするために、曲げ（Ｂｅｎｄｉｎｇ）可能に備えることができる。
【０２８３】
したがって、第１−２印刷回路基板部２５１１ｂは、軟性基板（ＦＰＣＢ、Ｆｌｅｘｉｂｌｅ  Ｐｒｉｎｔｅｄ  Ｃｉｒｃｕｉｔ  Ｂｏａｒｄ）として備えられてもよい。
【０２８４】
第１−１印刷回路基板部２５１１ａ、第１−２印刷回路基板部２５１１ｂ及び第１−３印刷回路基板部２５１１ｃは一体に形成することができる。
【０２８５】
したがって、第１−２印刷回路基板部２５１１ｂだけでなく、第１−１印刷回路基板部２５１１ａ及び第１−３印刷回路基板部２５１１ｃもまた軟性基板として備えることができる。
【０２８６】
第１−２印刷回路基板部２５１１ｂ及び第１−３印刷回路基板部２５１１ｃは、使用者の手振れを防止するために、光軸に対して平行な第１方向に垂直な第２及び第３方向に移動する光学モジュールに弾性力を提供する手振れ防止弾性部材（図示せず）が配置されるための収容空間を提供する少なくとも１つ以上の第１弾性部材開口部２５０４を備えることができる。
【０２８７】
前記第１弾性部材開口部２５０４は、計４個備えることができ、これは一例を示したものであり、第１弾性部材開口部２５０４の個数は、レンズ駆動装置に必要な手振れ防止弾性部材（図示せず）の個数によって変わり得、形状及び大きさもまた、使用者の必要に応じて変形可能であり、これは本発明の技術的範囲を制限しない。
【０２８８】
第１−３印刷回路基板部２５１１ｃは、ベース２１００と電気的に接続されるように備えられる少なくとも１つ以上のパターン部２５０２、及び第１−３印刷回路基板部２５１１ｃ及び前記少なくとも１つ以上のパターン部２５０２の一部を覆うように備えられるコーティング部材２５０３を含むことができる。
【０２８９】
図１４は、一実施例に係る第２回路基板を示したものである。
【０２９０】
図１４を参照すると、実施例の第２回路基板２５１３は、ボビンを収容するために中空状に備えられる第２−１印刷回路基板部２５１３ａ、第２−１印刷回路基板部２５１３ａの少なくとも一側に向かって延びるように備えられ、曲げ（Ｂｅｎｄｉｎｇ）可能なように備えられる第２−２印刷回路基板部２５１３ｂ、及び第２−２印刷回路基板部２５１３ｂの少なくとも一側に向かって延びるように備えられる第２−３印刷回路基板部２５１３ｃを含むことができる。
【０２９１】
第２−１印刷回路基板部２５１３ａは、中心が円周（Ｃ）である中空状に備えることができる。
【０２９２】
第２−２印刷回路基板部２５１３ｂは、第２−１印刷回路基板部２５１３ａの一面から延びるように備えることができ、より詳細には、第２−１印刷回路基板部２５１３ａの互いに対向する面から互いに反対方向に向かって延びるように備えることができる。
【０２９３】
第２−２印刷回路基板部２５１３ｂは、第２−１印刷回路基板部２５１３ａ及び第２−２印刷回路基板部２５１３ｂから延びるように備えられる後述する第２−３印刷回路基板部２５１３ｃがベース２１０と電気的に連通するようにするために、曲げ（Ｂｅｎｄｉｎｇ）可能に備えることができる。
【０２９４】
したがって、第２−２印刷回路基板部２５１３ｂは、軟性基板（ＦＰＣＢ、Ｆｌｅｘｉｂｌｅ  Ｐｒｉｎｔｅｄ  Ｃｉｒｃｕｉｔ  Ｂｏａｒｄ）として備えられてもよい。
【０２９５】
第２−１印刷回路基板部２５１３ａ、第２−２印刷回路基板部２５１３ｂ及び第２−３印刷回路基板部２５１３ｃは一体に形成することができる。
【０２９６】
したがって、第２−２印刷回路基板部２５１３ｂだけでなく、第２−１印刷回路基板部２５１３ａ及び第２−３印刷回路基板部２５１３ｃもまた軟性基板として備えることができる。
【０２９７】
第２−２印刷回路基板部２５１３ｂ及び第２−３印刷回路基板部２５１３ｃは、使用者の手振れを防止するために、光軸に対して平行な第１方向に垂直な第２及び第３方向に移動する光学モジュールに弾性力を提供する手振れ防止弾性部材（図示せず）が配置されるための収容空間を提供する少なくとも１つ以上の弾性部材開口部２５０４を備えることができる。
【０２９８】
前記第２弾性部材開口部２５０５は、計４個備えることができ、これは一例を示したものであり、第２弾性部材開口部２５０５の個数は、レンズ駆動装置に必要な手振れ防止弾性部材（図示せず）の個数によって変わり得、形状及び大きさもまた、使用者の必要に応じて変形可能であり、これは本発明の技術的範囲を制限しない。
【０２９９】
以上において、本発明の実施例を構成する全ての構成要素が一つに結合するか、又は結合して動作するものと説明されたとして、本発明が必ずしもこのような実施例に限定されるものではない。すなわち、本発明の目的範囲内であれば、その全ての構成要素が１つ以上に選択的に結合して動作することもできる。また、以上で記載された「含む」、「構成する」又は「有する」などの用語は、特に反対となる記載がない限り、当該構成要素が内在できることを意味するものであるため、他の構成要素を除外するものではなく、他の構成要素をさらに含むことができるものと解釈しなければならない。技術的又は科学的な用語を含む全ての用語は、別に定義されない限り、本発明の属する技術分野における通常の知識を有する者によって一般的に理解されるものと同一の意味を有する。事前に定義された用語のように一般的に使用される用語は、関連技術の文脈上の意味と一致するものと解釈しなければならず、本発明で明らかに定義しない限り、理想的又は過度に形式的な意味として解釈されない。
【０３００】
以上の説明は、本発明の技術思想を例示的に説明したものに過ぎず、本発明の属する技術分野における通常の知識を有する者であれば、本発明の本質的な特性から逸脱しない範囲で様々な修正及び変形が可能である。したがって、本発明に開示された実施例は、本発明の技術思想を限定するためのものではなく、説明するためのものであり、このような実施例によって本発明の技術思想の範囲が限定されるものではない。本発明の保護範囲は、以下の特許請求の範囲によって解釈されなければならず、それらと同等な範囲内にある全ての技術思想は本発明の技術的範囲に含まれるものと解釈されるべきである。
【図１】
2017062470.tif 000003
【図２】
2017062470.tif 000004
【図３】
2017062470.tif 000005
【図４】
2017062470.tif 000006
【図５】
2017062470.tif 000007
【図６】
2017062470.tif 000008
【図７】
2017062470.tif 000009
【図８】
2017062470.tif 000010
【図９】
2017062470.tif 000011
【図１０】
2017062470.tif 000012
【図１１】
2017062470.tif 000013
【図１２】
2017062470.tif 000014
【図１３】
2017062470.tif 000015
【図１４】
2017062470.tif 000016